(57)【特許請求の範囲】
【請求項１】
ワイヤレス通信のための方法であって、
第２のノードによって、少なくとも１つのユーザ機器（ＵＥ）にデータの第１のバーストを送信する第１のノードによって現在アクセスされている競合ベースの媒体にアクセスすることと、前記第１のノードおよび第２のノードは、前記少なくとも１つのＵＥに、前記競合ベースの媒体の無認可スペクトルにおけるジョイント送信部分上で送信するように構成され、ここにおいて、データの前記第１のバーストの前記ジョイント送信部分が、１つまたは複数のマルチキャストブロードキャスト単一周波数ネットワーク（ＭＢＳＦＮ）データの送信を含み、
前記第２のノードによって、前記少なくとも１つのＵＥに前記競合ベースの媒体を介してデータの第２のバーストを送信することと、データの前記第２のバーストが、データの前記第１のバーストの前記ジョイント送信部分に干渉しないように構成された関連するプリアンブルを有する、
を備える、方法。
【請求項２】
前記第１のノードおよび前記第２のノードが拡張マルチメディアブロードキャストマルチキャストサービス（ｅＭＢＭＳ）ノードである、請求項１に記載の方法。
【請求項３】
データの前記第２のバーストを送信することが、１つまたは複数のダウンリンクユニキャストサブフレームと１つまたは複数のＭＢＳＦＮデータとを送信することを備える、請求項１に記載の方法。
【請求項４】
データの前記第１のバーストの前記ジョイント送信部分が前記第１のノードによって送信される前に、前記第２のノードによって送信されるようにデータの前記第２のバーストに関連する前記プリアンブルを構成することをさらに備える、請求項１に記載の方法。
【請求項５】
データの前記第１のバーストの前記ジョイント送信部分が前記第１のノードによって送信された後に、前記第２のノードによって送信されるようにデータの前記第２のバーストに関連する前記プリアンブルを構成することをさらに備える、請求項１に記載の方法。
【請求項６】
データの前記第１のバーストの前記ジョイント送信部分によって使用されない１つまたは複数のリソース要素を使用して、データの前記第１のバーストの前記ジョイント送信部分中に、前記第２のノードによって送信されるようにデータの前記第２のバーストに関連する前記プリアンブルを構成することをさらに備える、請求項１に記載の方法。
【請求項７】
前記第１のノードが、前記第１のノードと前記第２のノードとを含む複数のｅＭＢＭＳノードに関連する再同期境界において前記媒体にアクセスする、請求項１に記載の方法。
【請求項８】
データの前記第２のバーストに関連する前記プリアンブルが、第１のプリアンブルであり、
前記第１のノードが、データの前記第１のバーストを送信するより前に第２のプリアンブルを送信する、
請求項１に記載の方法。
【請求項９】
前記第１のプリアンブルがユニキャストプリアンブルであり、
前記第２のプリアンブルがＭＢＳＦＮプリアンブルであり、
前記第１のノードが、データの前記第１のバーストを送信した後に第３のプリアンブルを送信し、前記第３のプリアンブルがユニキャストプリアンブルである、
請求項８に記載の方法。
【請求項１０】
前記第２のノードが、データの前記第１のバーストを送信した後に第４のプリアンブルを送信し、前記第４のプリアンブルがユニキャストプリアンブルである、請求項９に記載の方法。
【請求項１１】
前記第１のプリアンブルおよび前記第２のプリアンブルがユニキャストプリアンブルである、請求項８に記載の方法。
【請求項１２】
前記第１のプリアンブルおよび前記第２のプリアンブルがＭＢＳＦＮプリアンブルおよびユニキャストプリアンブルである、請求項８に記載の方法。
【請求項１３】
ワイヤレス通信のための装置であって、
命令を記憶するように構成されたメモリと、
前記メモリと通信可能に結合された１つまたは複数のプロセッサと
を備え、ここにおいて、前記１つまたは複数のプロセッサは、
第２のノードによって、少なくとも１つのユーザ機器（ＵＥ）にデータの第１のバーストを送信する第１のノードによって現在アクセスされている競合ベースの媒体にアクセスすることと、前記第１のノードおよび第２のノードは、前記少なくとも１つのＵＥに、前記競合ベースの媒体の無認可スペクトルにおけるジョイント送信部分上で送信するように構成され、ここにおいて、データの前記第１のバーストの前記ジョイント送信部分が、１つまたは複数のマルチキャストブロードキャスト単一周波数ネットワーク（ＭＢＳＦＮ）データの送信を含み、
前記第２のノードによって、前記少なくとも１つのＵＥに前記競合ベースの媒体を介してデータの第２のバーストを送信することと、データの前記第２のバーストが、データの前記第１のバーストの前記ジョイント送信部分に干渉しないように構成された関連するプリアンブルを有する、
を行うために前記命令を実行するように構成された、装置。
【請求項１４】
前記第１のノードおよび前記第２のノードが拡張マルチメディアブロードキャストマルチキャストサービス（ｅＭＢＭＳ）ノードである、請求項１３に記載の装置。
【請求項１５】
データの前記第２のバーストを送信することが、１つまたは複数のダウンリンクユニキャストサブフレームと１つまたは複数のＭＢＳＦＮデータとを送信することを備える、請求項１３に記載の装置。
【請求項１６】
データの前記第１のバーストの前記ジョイント送信部分が前記第１のノードによって送信される前に、前記第２のノードによって送信されるようにデータの前記第２のバーストに関連する前記プリアンブルを構成することをさらに備える、請求項１３に記載の装置。
【請求項１７】
データの前記第１のバーストの前記ジョイント送信部分が前記第１のノードによって送信された後に、前記第２のノードによって送信されるようにデータの前記第２のバーストに関連する前記プリアンブルを構成することをさらに備える、請求項１３に記載の装置。
【請求項１８】
データの前記第１のバーストの前記ジョイント送信部分によって使用されない１つまたは複数のリソース要素を使用して、データの前記第１のバーストの前記ジョイント送信部分中に、前記第２のノードによって送信されるようにデータの前記第２のバーストに関連する前記プリアンブルを構成することをさらに備える、請求項１３に記載の装置。
【請求項１９】
前記第１のノードが、前記第１のノードと前記第２のノードとを含む複数のｅＭＢＭＳノードに関連する再同期境界において前記媒体にアクセスする、請求項１３に記載の装置。
【請求項２０】
データの前記第２のバーストに関連する前記プリアンブルが、第１のプリアンブルであり、
前記第１のノードが、データの前記第１のバーストを送信するより前に第２のプリアンブルを送信する、
請求項１３に記載の装置。
【請求項２１】
前記第１のプリアンブルがユニキャストプリアンブルであり、
前記第２のプリアンブルがＭＢＳＦＮプリアンブルであり、
前記第１のノードが、データの前記第１のバーストを送信した後に第３のプリアンブルを送信し、前記第３のプリアンブルがユニキャストプリアンブルである、
請求項２０に記載の装置。
【請求項２２】
前記第２のノードが、データの前記第１のバーストを送信した後に第４のプリアンブルを送信し、前記第４のプリアンブルがユニキャストプリアンブルである、請求項２１に記載の装置。
【請求項２３】
前記第１のプリアンブルおよび前記第２のプリアンブルがユニキャストプリアンブルであり、前記第１のプリアンブルおよび前記第２のプリアンブルがＭＢＳＦＮプリアンブルおよびユニキャストプリアンブルである、請求項２０に記載の装置。
【請求項２４】
トランシーバをさらに備え、ここにおいて、前記第２のノードによって、前記アクセスされた媒体を介してデータの前記第２のバーストを、前記送信する、請求項２０に記載の装置。
【請求項２５】
ワイヤレス通信のための装置であって、
第２のノードによって、少なくとも１つのユーザ機器（ＵＥ）にデータの第１のバーストを送信する第１のノードによって現在アクセスされている競合ベースの媒体にアクセスするための手段と、前記第１のノードおよび第２のノードは、前記少なくとも１つのＵＥに、前記競合ベースの媒体の無認可スペクトルにおけるジョイント送信部分上で送信するように構成され、ここにおいて、データの前記第１のバーストの前記ジョイント送信部分が、１つまたは複数のマルチキャストブロードキャスト単一周波数ネットワーク（ＭＢＳＦＮ）データの送信を含み、
前記第２のノードによって、前記少なくとも１つのＵＥに前記競合ベースの媒体を介してデータの第２のバーストを送信するための手段と、データの前記第２のバーストが、データの前記第１のバーストの前記ジョイント送信部分に干渉しないように構成された関連するプリアンブルを有する、
を備える、装置。
【請求項２６】
前記第１のノードおよび前記第２のノードが拡張マルチメディアブロードキャストマルチキャストサービス（ｅＭＢＭＳ）ノードである、請求項２５に記載の装置。
【請求項２７】
ワイヤレス通信のためのコンピュータ実行可能コードを記憶する非一時的コンピュータ可読記憶媒体であって、
第２のノードによって、少なくとも１つのユーザ機器（ＵＥ）にデータの第１のバーストを送信する第１のノードによって現在アクセスされている競合ベースの媒体にアクセスするためのコードと、前記第１のノードおよび第２のノードは、前記少なくとも１つのＵＥに、前記競合ベースの媒体の無認可スペクトルにおけるジョイント送信部分上で送信するように構成され、ここにおいて、データの前記第１のバーストの前記ジョイント送信部分が、１つまたは複数のマルチキャストブロードキャスト単一周波数ネットワーク（ＭＢＳＦＮ）データの送信を含み、
前記第２のノードによって、前記少なくとも１つのＵＥに前記競合ベースの媒体を介してデータの第２のバーストを送信するためのコードと、データの前記第２のバーストが、データの前記第１のバーストの前記ジョイント送信部分に干渉しないように構成された関連するプリアンブルを有する、
を備える、非一時的コンピュータ可読記憶媒体。
【請求項２８】
前記第１のノードおよび前記第２のノードが拡張マルチメディアブロードキャストマルチキャストサービス（ｅＭＢＭＳ）ノードである、請求項２７に記載の非一時的コンピュータ可読記憶媒体。
【発明の詳細な説明】
【関連出願の相互参照】
【０００１】
[0001]本特許出願は、本出願の譲受人に譲渡され、参照により本明細書に明確に組み込まれる、２０１６年７月２８日に出願された「TECHNIQUES FOR MULTIMEDIA BROADCAST MULTICAST SERVICE TRANSMISSIONS IN UNLICENSED SPECTRUM」と題する米国非仮出願第１５／２２２，７４５号、および２０１５年７月３１日に出願された「TECHNIQUES FOR MULTIMEDIA BROADCAST MULTICAST SERVICE TRANSMISSIONS IN UNLICENSED SPECTRUM」と題する米国仮出願第６２／１９９，８４３号に対する優先権を主張する。
【背景技術】
【０００２】
[0002]本開示の態様は、一般に電気通信に関し、より詳細には、無認可スペクトル（unlicensed spectrum）におけるマルチメディアブロードキャストマルチキャストサービス送信のための技法に関する。
【０００３】
[0003]ワイヤレス通信ネットワークは、音声、ビデオ、パケットデータ、メッセージング、ブロードキャストなどの様々な通信サービスを提供するために広く展開されている。これらのワイヤレスネットワークは、利用可能なネットワークリソースを共有することによって複数のユーザをサポートすることが可能な多元接続ネットワークであり得る。
【０００４】
[0004]ワイヤレス通信ネットワークは、いくつかのネットワークエンティティを含み得る。セルラーネットワークなど、ワイヤレスワイドエリアネットワーク（ＷＷＡＮ）のネットワークエンティティは、ノードＢ（ＮＢ）または発展型ノードＢ（ｅＮＢ）など、いくつかの基地局を含み得る。ワイヤレスローカルエリアネットワーク（ＷＬＡＮ）のネットワークエンティティは、Ｗｉ−Ｆｉ（登録商標）ノードなど、いくつかのＷＬＡＮネットワークエンティティを含み得る。各ネットワークエンティティは、いくつかのユーザ機器（ＵＥ）またはワイヤレス局のための通信をサポートし得、しばしば、同時に複数のＵＥと通信し得る。同様に、各ＵＥは、いくつかのネットワークエンティティと通信し得、時々、複数のネットワークエンティティおよび／または異なるアクセス技術を採用するネットワークエンティティと通信し得る。ネットワークエンティティは、ダウンリンクおよびアップリンクを介してＵＥと通信し得る。ダウンリンク（または順方向リンク）はネットワークエンティティからＵＥへの通信リンクを指し、アップリンク（または逆方向リンク）はＵＥからネットワークエンティティへの通信リンクを指す。
【０００５】
[0005]セルラーネットワークがより過密になるにつれて、事業者は、容量を増加させるための方法を考察し始めている。１つの手法は、たとえば、セルラーネットワークのトラフィックおよび／またはシグナリングの一部をオフロードするためのＷＬＡＮの使用を含み得る。ＷＬＡＮ（またはＷｉ−Ｆｉネットワーク）は、認可スペクトル（a licensed spectrum）において動作するセルラーネットワークとは異なり、Ｗｉ−Ｆｉネットワークが概して無認可または共有スペクトル（たとえば、無認可スペクトル）において動作するので魅力的である。しかしながら、無認可スペクトルへのアクセスは、無認可スペクトルにアクセスするための同じまたは異なる技法を使用する、同じまたは異なる事業者展開のネットワークエンティティが、共存し、無認可スペクトルの有効使用を行うことができることを保証するために協調を必要とし得る。
【０００６】
[0006]無認可スペクトル上でのジョイント送信（joint transmissions）に関与する複数のネットワークエンティティの間の同期を維持するための効率的で改善されたプロセスを提供するための方法が必要とされる。いくつかの事例では、ネットワークエンティティのうちの１つが再同期境界（a resynchronization boundary）の後に無認可スペクトルにアクセスする場合、および１つまたは複数の他のノードがすでにジョイント送信に関与している間、干渉が発生し得る。したがって、ワイヤレス通信中に無認可スペクトルにおけるネットワークエンティティの間の同期を維持することにおける改善が望まれる。
【発明の概要】
【０００７】
[0007]以下は、１つまたは複数の態様の基本的理解を与えるために、そのような態様の簡略化された概要を提示する。この概要は、すべての企図された態様の広い概観ではなく、すべての態様の主要または重要な要素を識別するものでも、いずれかまたはすべての態様の範囲を定めるものでもない。その唯一の目的は、後で提示されるより詳細な説明の導入として、１つまたは複数の態様のいくつかの概念を簡略化された形で提示することである。
【０００８】
[0008]一態様によれば、ワイヤレス通信中に無認可スペクトルにおいて動作する他のネットワークエンティティとの同期を維持するようにプリアンブル送信を構成するための本方法が提供される。説明される態様は、第２のノードによって、データの第１のバーストを送信する第１のノードによって現在アクセスされている無認可スペクトルにアクセスすることを含む。説明される態様は、第２のノードによって、アクセスされた媒体を介してデータの第２のバーストを送信することをさらに含み、データの第２のバーストは、データの第１のバーストのジョイント送信部分に干渉しないように構成された関連するプリアンブルを有する。
【０００９】
[0009]別の態様では、ワイヤレス通信中に無認可スペクトルにおいて動作する他のネットワークエンティティとの同期を維持するようにプリアンブル送信を構成するための本装置は、命令を記憶するように構成されたメモリと、メモリと通信可能に結合された１つまたは複数のプロセッサとを含み得、ここにおいて、１つまたは複数のプロセッサおよびメモリは、第２のノードによって、データの第１のバーストを送信する第１のノードによって現在アクセスされている無認可スペクトルにアクセスするように構成される。説明される態様は、さらに、第２のノードによって、アクセスされた媒体を介してデータの第２のバーストを送信し、データの第２のバーストは、データの第１のバーストのジョイント送信部分に干渉しないように構成された関連するプリアンブルを有する。
【００１０】
[0010]別の態様では、本コンピュータ可読媒体は、ワイヤレス通信中に無認可スペクトルにおいて動作する他のネットワークエンティティとの同期を維持するようにプリアンブル送信を構成するためのコンピュータ実行可能コードを記憶し得る。説明される態様は、第２のノードによって、データの第１のバーストを送信する第１のノードによって現在アクセスされている無認可スペクトルにアクセスするためのコードを含む。説明される態様は、第２のノードによって、アクセスされた媒体を介してデータの第２のバーストを送信するためのコードをさらに含み、データの第２のバーストは、データの第１のバーストのジョイント送信部分に干渉しないように構成された関連するプリアンブルを有する。
【００１１】
[0011]別の態様では、ワイヤレス通信中に無認可スペクトルにおいて動作する他のネットワークエンティティとの同期を維持するようにプリアンブル送信を構成するための本装置は、第２のノードによって、データの第１のバーストを送信する第１のノードによって現在アクセスされている無認可スペクトルにアクセスするための手段を含み得る。説明される態様は、第２のノードによって、アクセスされた媒体を介してデータの第２のバーストを送信するための手段をさらに含み、データの第２のバーストは、データの第１のバーストのジョイント送信部分に干渉しないように構成された関連するプリアンブルを有する。
【００１２】
[0012]本開示の様々な態様および特徴が、添付の図面に示されているそれらの様々な例を参照しながら以下でさらに詳細に説明される。本開示は、様々な例を参照しながら以下で説明されるが、本開示はそれに制限されないことを理解されたい。本明細書の教示へのアクセスを有する当業者は、追加の実装形態、変更形態、および例、ならびに本明細書で説明される本開示の範囲内に入り、それに関して本開示が著しく有用であり得る他の使用分野を認識されよう。
【００１３】
[0013]本開示の特徴、性質、および利点は、全体を通じて同様の参照符号が同様のものを指し、ここで、破線が随意のコンポーネントまたはアクションを示し得る、図面とともに、以下に記載される詳細な説明を読めばより明らかになろう。
【図面の簡単な説明】
【００１４】
【図１】[0014]本明細書で説明される態様による、電気通信システムの一例を概念的に示すブロック図。
【図２】[0015]アクセスネットワークの一例を示す図。
【図３】[0016]アクセスネットワーク中の発展型ノードＢおよびユーザ機器の一例を示す図。
【図４】[0017]本開示の様々な態様による、ワイヤレス通信中に無認可スペクトルにおいて動作する他のネットワークエンティティとの同期を維持するようにプリアンブルおよび部分サブフレーム送信を調整することの一態様を含む通信ネットワークの概略図。
【図５】[0018]無認可スペクトル上でのプリアンブル送信のための例示的なサブフレーム構造を示す図。
【図６】無認可スペクトル上でのプリアンブル送信のための例示的なサブフレーム構造を示す図。
【図７】無認可スペクトル上でのプリアンブル送信のための例示的なサブフレーム構造を示す図。
【図８】無認可スペクトル上でのプリアンブル送信のための例示的なサブフレーム構造を示す図。
【図９】無認可スペクトル上でのプリアンブル送信のための例示的なサブフレーム構造を示す図。
【図１０】無認可スペクトル上でのプリアンブル送信のための例示的なサブフレーム構造を示す図。
【図１１】無認可スペクトル上でのプリアンブル送信のための例示的なサブフレーム構造を示す図。
【図１２】無認可スペクトル上でのプリアンブル送信のための例示的なサブフレーム構造を示す図。
【図１３】無認可スペクトル上でのプリアンブル送信のための例示的なサブフレーム構造を示す図。
【図１４】無認可スペクトル上でのプリアンブル送信のための例示的なサブフレーム構造を示す図。
【図１５】無認可スペクトル上でのプリアンブル送信のための例示的なサブフレーム構造を示す図。
【図１６】無認可スペクトル上でのプリアンブル送信のための例示的なサブフレーム構造を示す図。
【図１７】[0019]無認可スペクトルにおけるジョイント送信に関与する２つのノードによる例示的なダウンリンク送信を示す図。
【図１８】[0020]ワイヤレス通信中に無認可スペクトルにおいて動作する他のネットワークエンティティとの同期を維持するようにプリアンブル送信を調整する例示的な方法を示す流れ図。
【図１９】[0021]本開示の様々な態様による、干渉緩和コンポーネントを含む例示的な装置中の異なる手段／コンポーネント間のデータフローを示す概念データフロー図。
【図２０】[0022]本開示の様々な態様による、干渉緩和コンポーネントを含む処理システムを採用する装置のためのハードウェア実装形態の一例を示す図。
【詳細な説明】
【００１５】
[0023]添付の図面に関して以下に記載される詳細な説明は、様々な構成を説明するものであり、本明細書で説明される概念が実施され得る唯一の構成を表すものではない。詳細な説明は、様々な概念の完全な理解を与えるための具体的な詳細を含む。ただし、これらの概念はこれらの具体的な詳細なしに実施され得ることが当業者には明らかであろう。いくつかの事例では、そのような概念を不明瞭にしないように、よく知られているコンポーネントがブロック図の形式で示される。一態様では、本明細書で使用される「コンポーネント」という用語は、システムを構成する部分のうちの１つであり得、ハードウェアまたはソフトウェアであり得、他のコンポーネントに分割され得る。
【００１６】
[0024]本態様は、一般に、ワイヤレス通信中に無認可スペクトルにおいて動作する他のネットワークエンティティ（たとえば、ノード、アクセスポイントなど）との同期を維持するようにプリアンブル送信を構成することに関する。特に、たとえば、拡張マルチメディアブロードキャストマルチキャストサービス（ｅＭＢＭＳ）における単一周波数ネットワーク（ＳＦＮ）送信が、高いブロードキャスト容量を達成するために有効であり、すべてのネットワークエンティティが、同期構成において同じデータを送信するように構成される。したがって、無認可スペクトルにおいてＳＦＮ利得を用いた複数のＵＥへの単一の送信を可能にするために、ｅＭＢＭＳを無認可スペクトルに拡張する必要がある（たとえば、ｅＭＢＭＳ−Ｕ）。ｅＭＢＭＳ−Ｕ構成中に、ネットワークエンティティは、互いを阻止しないために、同時に（たとえば、再同期または再同期（resync）境界において）クリアチャネルアセスメント（ＣＣＡ）または拡張ＣＣＡ（ｅＣＣＡ）を用いたリッスンビフォアトーク（ＬＢＴ）プロシージャを実行することによって同期される。さらに、ネットワークエンティティのサブセットのみが、同じデータを送信するために無認可スペクトル（たとえば、競合ベースのスペクトル）にアクセスする必要がある。これは、可変ＳＦＮ展開につながる。その上、一態様では、ネットワークエンティティは、サイクリックプレフィックス（ＣＰ）ベースのｅＭＢＭＳ−Ｕを用いたスモールセルを指すことがある。
【００１７】
[0025]さらに、ライセンス支援獲得（ＬＡＡ：license assisted acquisition）における送信バーストの状態を示すために、プリアンブル送信が確立されている。たとえば、実際のデータ送信の前に、ノード（たとえば、ＵＥまたはネットワークエンティティ）は、送信バーストの開始、自動利得制御（ＡＧＣ：automatic gain control）、および限定はしないが、バースト持続時間など、シグナリングされる必要があり得る任意の追加情報を示すためにプリアンブルを送信し得る。その上、部分サブフレーム送信がＬＡＡにおいて構成され得、ここにおいて、ノード（たとえば、ＵＥまたはネットワークエンティティ）は、媒体（たとえば、無認可スペクトル）へのアクセスを取得し得、プリアンブルを除くデータ送信は、サブフレームアラインされる（be subframe aligned）必要がない。これは、サブフレームアラインされたデータ送信と比較して、より小さいオーバーヘッドを生じる。しかしながら、マルチキャストブロードキャスト単一周波数ネットワーク（ＭＢＳＦＮ：multicast-broadcast single-frequency network）の構成により、すべてのネットワークエンティティは、同じデータを同期的に送信することが必要とされる。したがって、送信バーストの開始を示すために送信されるプリアンブルは、ＭＢＳＦＮ送信との干渉を回避するために調整される必要があり得る。
【００１８】
[0026]したがって、いくつかの態様では、本方法および装置は、ワイヤレス通信中に無認可スペクトルにおいて動作する他のネットワークエンティティとの同期を維持するようにプリアンブル送信を構成することによって、現在のソリューションと比較して効率的なソリューションを提供し得る。言い換えれば、本態様では、ネットワークエンティティは、ネットワークエンティティのうちの１つが再同期境界の後に無認可スペクトルにアクセスする場合、ジョイント送信に関与する別のネットワークエンティティによってＭＢＳＦＮ送信に干渉し得る。したがって、本態様は、ＭＢＳＦＮ送信との干渉を回避するために、プリアンブル送信を調整するための１つまたは複数の機構を提供する。その上、本態様はまた、第２のネットワークエンティティによって、データの第１のバーストを送信する第１のネットワークエンティティによって現在アクセスされている無認可スペクトルにアクセスすることと、第２のネットワークエンティティによって、アクセスされた媒体を介してデータの第２のバーストを送信することとを行うための１つまたは複数の機構を提供し、データの第２のバーストは、データの第１のバーストのジョイント送信部分に干渉しないように構成された関連するプリアンブルを有する。
【００１９】
[0027]一態様では、ネットワークエンティティは、別のネットワークエンティティによるデータの第１のバーストのジョイント送信部分中の干渉を緩和し得る。たとえば、２つまたはそれ以上のネットワークエンティティが無認可スペクトルにおけるジョイント送信に関与するとき、プリアンブルの送信が、干渉を緩和するために構成される必要があり得る。一態様では、プリアンブルは、ネットワークエンティティのうちの１つによって送信されず、ここで、両方のネットワークエンティティは、無認可スペクトルにおいて動作するｅＭＢＭＳノードである（ｅＭＢＭＳ−Ｕ）。しかしながら、プリアンブルは、ＭＢＳＦＮ送信およびユニキャスト受信のために必要とされ得る。プリアンブル送信がなければ、ネットワークエンティティによってサービスされるＵＥは、ＭＢＳＦＮ送信およびユニキャスト送信の開始に気づいていないことがある。別の態様では、プリアンブルは、ユニキャスト送信および／または受信のために送信される。たとえば、再同期境界の後にＣＣＡを完了するネットワークエンティティは、ＭＢＳＦＮ送信が行われた後にプリアンブルを送信するか、ＭＢＳＦＮ送信が行われた後に行われるユニキャスト送信にプリアンブルを組み込むか、またはプリアンブルを送信するための各ＭＢＳＦＮサブフレーム中で複数のリソース要素を予約し得る。この例では、ネットワークエンティティによってサービスされるＵＥは、ＭＢＳＦＮ送信の開始に関して示されないことがあり、したがって、各潜在的ＭＢＳＦＮサブフレームを監視することを必要とされる。別の態様では、ＭＢＳＦＮサブフレームを送信するすべてのネットワークエンティティは、ＭＢＳＦＮプリアンブルおよびユニキャストプリアンブルを送信し得る。たとえば、ＭＢＳＦＮプリアンブルは、ＭＢＳＦＮサブフレームの開始を示すために送信され得る。ＭＢＳＦＮプリアンブルは、ＭＢＳＦＮエリア識別子および／またはパブリックランドモバイルネットワーク（ＰＬＭＮ：public land mobile network）ＩＤに基づき得、ＭＢＳＦＮ利得から恩恵を受け得る。ＵＥは、通常のプリアンブルを監視することに加えて、ＭＢＳＦＮプリアンブルを監視し得る。さらに、送信バースト全体はＭＢＳＦＮ送信に専用であり得、ネットワークエンティティは、新しいユニキャストバーストを開始するために、ＭＢＳＦＮ専用バーストの後にＣＣＡを実行し得る。ＭＢＳＦＮバースト送信のためのＣＣＡパラメータは、ユニキャストバースト送信のためのＣＣＡパラメータとは異なり得る。たとえば、ＣＣＡエネルギー検出（ＥＤ）しきい値が、ユニキャストについてよりもＭＢＳＦＮについての方がより高くなり得る。ＣＣＡ初期カウンタが、ＭＢＳＦＮについてより小さくなり得る。
【００２０】
[0028]最初に図１を参照すると、図は、本明細書で説明される態様による、ワイヤレス通信システム１００の一例を示す。ワイヤレス通信システム１００は、複数の基地局（たとえば、ｅＮＢ、ＷＬＡＮアクセスポイント、または他のアクセスポイント）１０５と、いくつかのユーザ機器（ＵＥ）１１５と、コアネットワーク１３５とを含む。１つまたは複数の基地局１０５は、無認可スペクトルにおいて動作する他のネットワークエンティティとの同期を維持するようにプリアンブル送信を構成するように動作可能な干渉緩和コンポーネント１３０（たとえば、図４参照）を含み得る。一態様では、干渉緩和コンポーネント１３０は、ネットワークエンティティによってサービスされる任意のＵＥがＭＢＳＦＮ送信およびユニキャスト送信の開始に気づいていることがあるように、プリアンブル送信を構成され得る。
【００２１】
[0029]したがって、たとえば、ＵＥ１１５は、直接メッセージベースの通信を使用して（たとえば、リソースをスケジュールするために基地局１０５の支援を用いてまたは用いずに）互いと通信し得る。基地局１０５のうちのいくつかは、様々な例ではコアネットワーク１３５またはいくつかの基地局１０５（たとえば、ｅＮＢ）の一部であり得る、基地局コントローラ（図示せず）の制御下でＵＥ１１５と通信し得る。基地局１０５は、バックホールリンク１３２を介してコアネットワーク１３５を用いて制御情報および／またはユーザデータを通信し得る。例では、基地局１０５は、ワイヤードまたはワイヤレス通信リンクであり得るバックホールリンク１３４を介して、直接または間接的にのいずれかで、互いと通信し得る。ワイヤレス通信システム１００は、複数のキャリア（異なる周波数の波形信号）上での動作をサポートし得る。マルチキャリア送信機は、複数のキャリア上で同時に被変調信号（modulated signals）を送信することができる。たとえば、通信リンク１２５の各々は、上記で説明された様々な無線技術に従って変調されたマルチキャリア信号であり得る。各被変調信号は、異なるキャリア上で送られ得、制御情報（たとえば、基準信号、制御チャネルなど）、オーバーヘッド情報、データなどを搬送し得る。
【００２２】
[0030]基地局１０５は、１つまたは複数の基地局アンテナを介してＵＥ１１５とワイヤレスに通信し得る。基地局１０５サイトの各々は、それぞれのカバレージエリア１１０に通信カバレージを与え得る。いくつかの例では、基地局１０５は、トランシーバ基地局、無線基地局、無線トランシーバ、基本サービスセット（ＢＳＳ）、拡張サービスセット（ＥＳＳ）、ノードＢ、ｅノードＢ、ホームノードＢ、ホームｅノードＢ、または何らかの他の好適な用語で呼ばれることがある。基地局のためのカバレージエリア１１０は、カバレージエリアの一部分のみを構成するセクタ（図示せず）に分割され得る。ワイヤレス通信システム１００は、異なるタイプの基地局１０５（たとえば、マクロ基地局、マイクロ基地局、および／またはピコ基地局）を含み得る。基地局１０５はまた、セルラーおよび／またはＷＬＡＮ無線アクセス技術（ＲＡＴ）など、異なる無線技術を利用し得る。基地局１０５は、同じまたは異なるアクセスネットワークまたは事業者展開に関連し得る。同じまたは異なるタイプの基地局１０５のカバレージエリアを含むか、同じまたは異なる無線技術を利用するか、および／あるいは同じまたは異なるアクセスネットワークに属する、異なる基地局１０５のカバレージエリアは重複し得る。
【００２３】
[0031]たとえば、ＬＴＥ（登録商標）／ＬＴＥアドバンスト（ＬＴＥ−Ａ）では、発展型ノードＢ（ｅノードＢまたはｅＮＢ）という用語は、概して、基地局１０５を表すために使用され得る。ワイヤレス通信システム１００は、異なるタイプのアクセスポイントが様々な地理的領域にカバレージを与える、異種ＬＴＥ／ＬＴＥ−Ａネットワークであり得る。たとえば、各基地局１０５は、マクロセル、ピコセル、フェムトセル、および／または他のタイプのセルに通信カバレージを与え得る。ピコセル、フェムトセル、および／または他のタイプのセルなどのスモールセルは低電力ノードまたはＬＰＮを含み得る。マクロセルは、概して、比較的大きい地理的エリア（たとえば、半径数キロメートル）をカバーし、ネットワークプロバイダのサービスに加入しているＵＥ１１５による無制限アクセスを可能にし得る。スモールセルは、概して、比較的より小さい地理的エリアをカバーすることになり、たとえば、ネットワークプロバイダのサービスに加入しているＵＥ１１５による無制限アクセスを可能にし得、無制限アクセスに加えて、スモールセルとの関連を有するＵＥ１１５（たとえば、限定加入者グループ（ＣＳＧ：closed subscriber group）中のＵＥ、自宅内のユーザのためのＵＥなど）による制限付きアクセスをも与え得る。マクロセルのためのｅＮＢはマクロｅＮＢと呼ばれることがある。スモールセルのためのｅＮＢはスモールセルｅＮＢと呼ばれることがある。ｅＮＢは、１つまたは複数の（たとえば、２つ、３つ、４つなどの）セルをサポートし得る。
【００２４】
[0032]コアネットワーク１３５は、バックホールリンク１３２（たとえば、Ｓ１インターフェースなど）を介してｅＮＢまたは他の基地局１０５と通信し得る。基地局１０５はまた、たとえば、バックホールリンク１３４（たとえば、Ｘ２インターフェースなど）を介して、および／またはバックホールリンク１３２を介して（たとえば、コアネットワーク１３５を通して）直接または間接的に、互いと通信し得る。ワイヤレス通信システム１００は、同期動作または非同期動作をサポートし得る。同期動作の場合、基地局１０５は同様のフレームタイミングを有し得、異なる基地局１０５からの送信は近似的に時間的にアラインされ得る。非同期動作の場合、基地局１０５は異なるフレームタイミングを有し得、異なる基地局１０５からの送信は時間的にアラインされないことがある。本明細書で説明される技法は、同期動作または非同期動作のいずれかのために使用され得る。
【００２５】
[0033]ＵＥ１１５はワイヤレス通信システム１００全体にわたって分散され、各ＵＥ１１５は固定または移動であり得る。ＵＥ１１５は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。ＵＥ１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、時計または眼鏡などのウェアラブルアイテム、ワイヤレスローカルループ（ＷＬＬ）局、車両ベースのＵＥなどであり得る。ＵＥ１１５は、マクロｅノードＢ、スモールセルｅノードＢ、リレー（relays）などと通信することが可能であり得る。ＵＥ１１５はまた、セルラーまたは他のＷＷＡＮアクセスネットワーク、あるいはＷＬＡＮアクセスネットワークなど、異なるアクセスネットワーク上で通信することが可能であり得る。
【００２６】
[0034]ワイヤレス通信システム１００に示されている通信リンク１２５は、ＵＥ１１５から基地局１０５へのアップリンク（ＵＬ）送信、および／または基地局１０５からＵＥ１１５へのダウンリンク（ＤＬ）送信を含み得る。ダウンリンク送信は順方向リンク送信と呼ばれることもあり、アップリンク送信は逆方向リンク送信と呼ばれることもある。ＵＥ１１５は、たとえば、多入力多出力（ＭＩＭＯ）、キャリアアグリゲーション（ＣＡ）、多地点協調（ＣｏＭＰ）、多重接続性、または他の方式を通して、複数の基地局１０５と共同的に通信するように構成され得る。ＭＩＭＯ技法は、複数のデータストリームを送信するために、基地局１０５上の複数のアンテナおよび／またはＵＥ１１５上の複数のアンテナを使用する。
【００２７】
[0035]図２は、ＬＴＥネットワークアーキテクチャまたは同様のセルラーネットワークアーキテクチャにおけるアクセスネットワーク２００の一例を示す図である。この例では、アクセスネットワーク２００はいくつかのセルラー領域（セル）２０２に分割される。１つまたは複数のより低い電力クラスの基地局２０８は、セル２０２のうちの１つまたは複数と重複するセルラー領域２１０を有し得る。より低い電力クラスの基地局２０８は、フェムトセル（たとえば、ホームｅＮＢ（ＨｅＮＢ：home eNB））、ピコセル、マイクロセル、またはリモートラジオヘッド（ＲＲＨ：remote radio head）であり得る。マクロ基地局２０４は各々、それぞれのセル２０２に割り当てられ、セル２０２中のすべてのＵＥ２０６にコアネットワーク１３５へのアクセスポイントを与えるように構成される。
【００２８】
[0036]一態様では、１つまたは複数の基地局２０４／２０８は、無認可スペクトルにおいて動作する他のネットワークエンティティとの同期を維持するようにプリアンブル送信を構成するように動作可能な干渉緩和コンポーネント１３０（たとえば、図４参照）を含み得る。アクセスネットワーク２００のこの例には集中型コントローラはないが、代替構成では集中型コントローラが使用され得る。基地局２０４は、無線ベアラ制御、承認制御、モビリティ制御、スケジューリング、セキュリティ、およびコアネットワーク１３５の１つまたは複数のコンポーネントへの接続性を含む、すべての無線関係機能を担当する。
【００２９】
[0037]アクセスネットワーク２００によって採用される変調および多元接続方式は、展開されている特定の電気通信規格に応じて異なり得る。ＬＴＥ適用例では、周波数分割複信（ＦＤＤ）と時分割複信（ＴＤＤ）の両方をサポートするために、ＯＦＤＭがＤＬ上で使用され得、ＳＣ−ＦＤＭＡがＵＬ上で使用され得る。当業者が以下の詳細な説明から容易に諒解するように、本明細書で提示される様々な概念はＬＴＥ適用例に好適である。ただし、これらの概念は、他の変調および多元接続技法を採用する他の電気通信規格に容易に拡張され得る。例として、これらの概念は、エボリューションデータオプティマイズド（ＥＶ−ＤＯ：Evolution-Data Optimized）またはウルトラモバイルブロードバンド（ＵＭＢ：Ultra Mobile Broadband）に拡張され得る。ＥＶ−ＤＯおよびＵＭＢは、ＣＤＭＡ２０００規格ファミリーの一部として第３世代パートナーシッププロジェクト２（３ＧＰＰ（登録商標）２：3rd Generation Partnership Project 2）によって公表されたエアインターフェース規格であり、移動局にブロードバンドインターネットアクセスを与えるためにＣＤＭＡを採用する。これらの概念はまた、広帯域ＣＤＭＡ（Ｗ−ＣＤＭＡ（登録商標））とＴＤ−ＳＣＤＭＡなどのＣＤＭＡの他の変形態とを採用するユニバーサル地上波無線アクセス（ＵＴＲＡ：Universal Terrestrial Radio Access）、ＴＤＭＡを採用するモバイル通信用グローバルシステム（ＧＳＭ（登録商標）：Global System for Mobile Communications）、ならびに、ＯＦＤＭＡを採用する、発展型ＵＴＲＡ（Ｅ−ＵＴＲＡ：Evolved UTRA）、ＩＥＥＥ８０２．１１（Ｗｉ−Ｆｉ）、ＩＥＥＥ８０２．１６（ＷｉＭＡＸ）、ＩＥＥＥ８０２．２０、およびＦｌａｓｈ−ＯＦＤＭに拡張され得る。ＵＴＲＡ、Ｅ−ＵＴＲＡ、ＵＭＴＳ、ＬＴＥおよびＧＳＭは、３ＧＰＰ団体からの文書に記載されている。ＣＤＭＡ２０００およびＵＭＢは、３ＧＰＰ２団体からの文書に記載されている。採用される実際のワイヤレス通信規格および多元接続技術は、特定の適用例およびシステムに課される全体的な設計制約に依存することになる。
【００３０】
[0038]基地局２０４は、ＭＩＭＯ技術をサポートする複数のアンテナを有し得る。ＭＩＭＯ技術の使用は、基地局２０４が、空間多重化、ビームフォーミング、および送信ダイバーシティをサポートするために空間領域を活用することを可能にする。空間多重化は、データの異なるストリームを同じ周波数上で同時に送信するために使用され得る。データスチームは、データレートを増加させるために単一のＵＥ２０６に送信されるか、または全体的なシステム容量を増加させるために複数のＵＥ２０６に送信され得る。これは、各データストリームを空間的にプリコーディングし（すなわち、振幅および位相のスケーリングを適用し）、次いでＤＬ上で複数の送信アンテナを通して空間的にプリコーディングされた各ストリームを送信することによって達成される。空間的にプリコーディングされたデータストリームは、異なる空間シグネチャとともに（１つまたは複数の）ＵＥ２０６に到着し、これは、（１つまたは複数の）ＵＥ２０６の各々がそのＵＥ２０６に宛てられた１つまたは複数のデータストリームを復元することを可能にする。ＵＬ上で、各ＵＥ２０６は、空間的にプリコーディングされたデータストリームを送信し、これは、基地局２０４が、各空間的にプリコーディングされたデータストリームのソースを識別することを可能にする。
【００３１】
[0039]空間多重化は、概して、チャネル状態が良好であるときに使用される。チャネル状態があまり良好でないときは、送信エネルギーを１つまたは複数の方向に集中させるためにビームフォーミングが使用され得る。これは、複数のアンテナを通した送信のためのデータを空間的にプリコーディングすることによって達成され得る。セルのエッジにおいて良好なカバレージを達成するために、送信ダイバーシティと組み合わせてシングルストリームビームフォーミング送信が使用され得る。
【００３２】
[0040]以下の詳細な説明では、ＤＬ上でＯＦＤＭをサポートするＭＩＭＯシステムを参照しながらアクセスネットワークの様々な態様が説明される。ＯＦＤＭは、ＯＦＤＭシンボル内のいくつかのサブキャリアを介してデータを変調するスペクトル拡散技法である。サブキャリアは正確な周波数で離間される。離間（spacing）は、受信機がサブキャリアからデータを復元することを可能にする「直交性」を与える。時間領域では、ＯＦＤＭシンボル間干渉をなくすために、ガード間隔（たとえば、サイクリックプレフィックス）が各ＯＦＤＭシンボルに追加され得る。ＵＬは、高いピーク対平均電力比（ＰＡＰＲ）を補償するために、ＳＣ−ＦＤＭＡをＤＦＴ拡散ＯＦＤＭ信号の形態で使用し得る。
【００３３】
[0041]図３は、アクセスネットワーク中でＵＥ３５０と通信している基地局３１０のブロック図である。ＤＬでは、コアネットワークからの上位レイヤパケットが、コントローラ／プロセッサ３７５に与えられる。コントローラ／プロセッサ３７５は、Ｌ２レイヤの機能を実装する（implements）。ＤＬでは、コントローラ／プロセッサ３７５は、様々な優先度メトリックに基づいて、ヘッダ圧縮と、暗号化と、パケットのセグメンテーションおよび並べ替えと、論理チャネルとトランスポートチャネルとの間の多重化と、ＵＥ３５０への無線リソース割振りとを行う。コントローラ／プロセッサ３７５はまた、ＨＡＲＱ動作と、紛失パケットの再送信と、ＵＥ３５０へのシグナリングとを担当する。
【００３４】
[0042]送信（ＴＸ）プロセッサ３１６は、Ｌ１レイヤ（すなわち、物理レイヤ）のための様々な信号処理機能を実装する。信号処理機能は、ＵＥ３５０における前方誤り訂正（ＦＥＣ：forward error correction）と、様々な変調方式（たとえば、２位相シフトキーイング（ＢＰＳＫ：binary phase-shift keying）、４位相シフトキーイング（ＱＰＳＫ：quadrature phase-shift keying）、Ｍ位相シフトキーイング（Ｍ−ＰＳＫ：M-phase-shift keying）、多値直交振幅変調（Ｍ−ＱＡＭ：M-quadrature amplitude modulation））に基づく信号コンスタレーション（signal constellations）へのマッピングとを可能にするために、コーディングとインターリービングとを含む。コーディングされ、変調されたシンボルは、次いで、並列ストリームに分割される。各ストリームは、次いで、時間領域ＯＦＤＭシンボルストリームを搬送する物理チャネルを生成するために、ＯＦＤＭサブキャリアにマッピングされ、時間領域および／または周波数領域中で基準信号（たとえば、パイロット）と多重化され、次いで逆高速フーリエ変換（ＩＦＦＴ）を使用して互いに合成される。ＯＦＤＭストリームは、複数の空間ストリームを生成するために空間的にプリコーディングされる。チャネル推定器３７４からのチャネル推定値は、コーディングおよび変調方式を決定するために、ならびに空間処理のために使用され得る。チャネル推定値は、ＵＥ３５０によって送信される基準信号および／またはチャネル状態フィードバックから導出され得る。各空間ストリームは、次いで、別個の送信機３１８ＴＸを介して異なるアンテナ３２０に与えられる。各送信機３１８ＴＸは、送信のためにそれぞれの空間ストリームでＲＦキャリアを変調する。さらに、基地局３１０は、無認可スペクトルにおいて動作する他のネットワークエンティティとの同期を維持するようにプリアンブル送信を構成するように動作可能な干渉緩和コンポーネント１３０（たとえば、図４参照）を含み得る。干渉緩和コンポーネント１３０はコントローラ／プロセッサ３７５に結合されるものとして示されているが、干渉緩和コンポーネント１３０はまた、他のプロセッサ（たとえば、ＲＸプロセッサ３７０、ＴＸプロセッサ３１６など）に結合され、および／または本明細書で説明されるアクションを実行するように１つまたは複数のプロセッサ３１６、３７０、３７５によって実装され得ることを諒解されたい。さらに、たとえば、干渉緩和コンポーネント１３０は、限定はしないが、プロセッサ３１６、３７０、および／または３７５を含む、プロセッサのうちの任意の１つまたは複数によって実装され得る。同様に、干渉緩和コンポーネント１３０は、限定はしないが、プロセッサ３５６、３５９、および／または３６８を含む、プロセッサのうちの任意の１つまたは複数によって実装され得る。
【００３５】
[0043]ＵＥ３５０において、各受信機３５４ＲＸは、それのそれぞれのアンテナ３５２を通して信号を受信する。各受信機３５４ＲＸは、ＲＦキャリア上に変調された情報を復元し、その情報を受信（ＲＸ）プロセッサ３５６に与える。ＲＸプロセッサ３５６はＬ１レイヤの様々な信号処理機能を実装する。ＲＸプロセッサ３５６は、ＵＥ３５０に宛てられた任意の空間ストリームを復元するために、情報に対して空間処理を実行する。複数の空間ストリームがＵＥ３５０に宛てられた場合、それらはＲＸプロセッサ３５６によって単一のＯＦＤＭシンボルストリームに合成され得る。ＲＸプロセッサ３５６は、次いで高速フーリエ変換（ＦＦＴ）を使用してＯＦＤＭシンボルストリームを時間領域から周波数領域に変換する。周波数領域信号は、ＯＦＤＭ信号のサブキャリアごとに別々のＯＦＤＭシンボルストリームを備える。各サブキャリア上のシンボルと、基準信号とは、基地局３１０によって送信される、可能性が最も高い信号コンスタレーションポイントを決定することによって復元され、復調される。これらの軟判定は、チャネル推定器３５８によって算出されるチャネル推定値に基づき得る。軟判定は、次いで、物理チャネル上で基地局３１０によって最初に送信されたデータと制御信号とを復元するために復号され、デインターリーブされる。データおよび制御信号は、次いでコントローラ／プロセッサ３５９に与えられる。
【００３６】
[0044]コントローラ／プロセッサ３５９はＬ２レイヤを実装する。コントローラ／プロセッサは、プログラムコードとデータとを記憶するメモリ３６０に関連し得る。メモリ３６０はコンピュータ可読媒体と呼ばれることがある。ＵＬでは、コントローラ／プロセッサ３５９は、コアネットワークからの上位レイヤパケットを復元するために、トランスポートチャネルと論理チャネルとの間の多重分離（demultiplexing）と、パケットリアセンブリと、解読（deciphering）と、ヘッダ復元と、制御信号処理とを行う。上位レイヤパケットは、次いで、Ｌ２レイヤの上のすべてのプロトコルレイヤを表す、データシンク３６２に与えられる。また、様々な制御信号が、Ｌ３処理のためにデータシンク３６２に与えられ得る。コントローラ／プロセッサ３５９はまた、ＨＡＲＱ動作をサポートするために肯定応答（ＡＣＫ）および／または否定応答（ＮＡＣＫ）プロトコルを使用した誤り検出を担当する。
【００３７】
[0045]ＵＬでは、データソース３６７が、コントローラ／プロセッサ３５９に上位レイヤパケットを与えるために使用される。データソース３６７は、Ｌ２レイヤの上のすべてのプロトコルレイヤを表す。基地局３１０によるＤＬ送信に関して説明された機能と同様に、コントローラ／プロセッサ３５９は、ヘッダ圧縮と、暗号化と、パケットのセグメンテーションおよび並べ替えと、基地局３１０による無線リソース割振りに基づく論理チャネルとトランスポートチャネルとの間の多重化とを行うことによって、ユーザプレーンおよび制御プレーンのためのＬ２レイヤを実装する。コントローラ／プロセッサ３５９はまた、ＨＡＲＱ動作と、紛失パケットの再送信と、基地局３１０へのシグナリングとを担当する。
【００３８】
[0046]基地局３１０によって送信される基準信号またはフィードバックからの、チャネル推定器３５８によって導出されるチャネル推定値は、適切なコーディングおよび変調方式を選択することと、空間処理を可能にすることとを行うために、ＴＸプロセッサ３６８によって使用され得る。ＴＸプロセッサ３６８によって生成される空間ストリームは、別個の送信機３５４ＴＸを介して異なるアンテナ３５２に与えられる。各送信機３５４ＴＸは、送信のためにそれぞれの空間ストリームでＲＦキャリアを変調する。
【００３９】
[0047]ＵＬ送信は、ＵＥ３５０における受信機機能に関して説明された様式と同様の様式で基地局３１０において処理される。各受信機３１８ＲＸは、それのそれぞれのアンテナ３２０を通して信号を受信する。各受信機３１８ＲＸは、ＲＦキャリア上に変調された情報を復元し、ＲＸプロセッサ３７０に情報を与える。ＲＸプロセッサ３７０はＬ１レイヤを実装し得る。
【００４０】
[0048]コントローラ／プロセッサ３７５はＬ２レイヤを実装する。コントローラ／プロセッサ３７５は、プログラムコードとデータとを記憶するメモリ３７６に関連し得る。メモリ３７６はコンピュータ可読媒体と呼ばれることがある。ＵＬでは、コントローラ／プロセッサ３７５は、ＵＥ３５０からの上位レイヤパケットを復元するために、トランスポートチャネルと論理チャネルとの間の多重分離と、パケットリアセンブリと、解読と、ヘッダ復元と、制御信号処理とを行う。コントローラ／プロセッサ３７５からの上位レイヤパケットはコアネットワークに与えられ得る。コントローラ／プロセッサ３７５はまた、ＨＡＲＱ動作をサポートするためにＡＣＫおよび／またはＮＡＣＫプロトコルを使用した誤り検出を担当する。
【００４１】
[0049]図４を参照すると、一態様では、ワイヤレス通信システム４００は、少なくともネットワークエンティティ１０５−ａおよび１０５−ｂの通信カバレージ中の少なくとも１つのユーザ機器（ＵＥ）１１５を含む。ＵＥ１１５は、ネットワークエンティティ１０５−ｂおよび／またはネットワークエンティティ１０５−ａを介してネットワークと通信し得る。一例では、ＵＥ１１５は、限定はしないが、アップリンクデータチャネルおよび／またはダウンリンクデータチャネルなど、アップリンク通信チャネル（または単にアップリンクチャネル）とダウンリンク通信チャネル（または単にダウンリンクチャネル）とを含み得る、１つまたは複数の通信チャネル１２５−ａ、１２５−ｂを介して、ネットワークエンティティ１０５−ａ、１０５−ｂにおよび／またはそれらからワイヤレス通信を送信および／または受信し得る。そのようなワイヤレス通信は、限定はしないが、データ、オーディオおよび／またはビデオ情報を含み得る。
【００４２】
[0050]本開示によれば、ネットワークエンティティ１０５−ｂ（および／またはネットワークエンティティ１０５−ａ）は、メモリ４４と、１つまたは複数のプロセッサ２０と、トランシーバ６０とを含み得る。メモリと１つまたは複数のプロセッサ２０とトランシーバ６０とは、バス１１を介して内部で通信し得る。いくつかの例では、メモリ４４と１つまたは複数のプロセッサ２０とは、同じハードウェアコンポーネントの一部であり得る（たとえば、同じボード、モジュール、または集積回路の一部であり得る）。代替的に、メモリ４４と１つまたは複数のプロセッサ２０とは、互いとともに働き得る別個のコンポーネントであり得る。いくつかの態様では、バス１１は、ネットワークエンティティ１０５−ｂの複数のコンポーネントおよびサブコンポーネント間のデータを転送する通信システムであり得る。いくつかの例では、１つまたは複数のプロセッサ２０は、モデムプロセッサ、ベースバンドプロセッサ、デジタル信号プロセッサおよび／または送信プロセッサのうちのいずれか１つまたは組合せを含み得る。追加または代替として、１つまたは複数のプロセッサ２０は、本明細書で説明される１つまたは複数の方法またはプロシージャを行うための干渉緩和コンポーネント１３０を含み得る。干渉緩和コンポーネント１３０は、ハードウェア、ファームウェア、および／またはソフトウェアを備え得、メモリ（たとえば、コンピュータ可読記憶媒体）に記憶されたコードを実行するかまたは命令を実施するように構成され得る。
【００４３】
[0051]いくつかの例では、ネットワークエンティティ１０５−ｂ（および／またはネットワークエンティティ１０５−ａ）は、本明細書で使用されるデータ、ならびに／あるいはアプリケーションのローカルバージョン、あるいは１つまたは複数のプロセッサ２０によって実行されている干渉緩和コンポーネント１３０および／またはそれのサブコンポーネントのうちの１つまたは複数との通信を記憶するためなどのメモリ４４を含み得る。メモリ４４は、ランダムアクセスメモリ（ＲＡＭ）、読取り専用メモリ（ＲＯＭ）、テープ、磁気ディスク、光ディスク、揮発性メモリ、不揮発性メモリ、およびそれらの任意の組合せなど、コンピュータまたはプロセッサ２０によって使用可能な任意のタイプのコンピュータ可読媒体を含むことができる。一態様では、たとえば、ネットワークエンティティ１０５−ｂが、干渉緩和コンポーネント１３０および／またはそれのサブコンポーネントのうちの１つまたは複数を実行するようにプロセッサ２０を動作させているとき、メモリ４４は、干渉緩和コンポーネント１３０および／またはそれのサブコンポーネントのうちの１つまたは複数を定義する１つまたは複数のコンピュータ実行可能コード、ならびに／あるいはそれに関連するデータを記憶するコンピュータ可読記憶媒体（たとえば、非一時的媒体）、であり得る。いくつかの例では、ネットワークエンティティ１０５−ｂは、ＵＥ１１５を介してネットワークに／から１つまたは複数のデータおよび制御信号を送信および／または受信するためのトランシーバ６０をさらに含み得る。トランシーバ６０は、ハードウェア、ファームウェア、および／またはソフトウェアを備え得、メモリ（たとえば、コンピュータ可読記憶媒体）に記憶されたコードを実行するかまたは命令を実施するように構成され得る。トランシーバ６０は、モデム１６５を備える第１の無線アクセス技術（ＲＡＴ）無線機１６０と、モデム１７５を備える第２のＲＡＴ無線機１７０（たとえば、ＬＴＥ無線機）とを含み得る。第１のＲＡＴ無線機１６０および第２のＲＡＴ無線機１７０は、ＵＥ１１５に信号を送信し、およびそれから信号を受信するための１つまたは複数のアンテナ６４を利用し得る。一例では、第１のＲＡＴ無線機１６０は、ワイヤレスローカルエリアネットワーク（ＷＬＡＮ）に関連し得、第２のＲＡＴ無線機１７０は、無認可スペクトル上でのワイヤレスワイドエリアネットワーク（ＷＷＡＮ）に関連し得る。
【００４４】
[0052]ネットワークエンティティ１０５−ｂ（またはシステム４００中の任意の他のデバイス）が所与のリソース上で通信するために第１のＲＡＴを使用するとき、この通信は、そのリソース上で通信するために第２のＲＡＴを使用する近くのデバイスからの干渉を受けることがある。たとえば、特定の無認可ＲＦ帯域上での第２のＲＡＴ無線機１７０を使用するＬＴＥを介したＵＥ１１５による通信は、その帯域上で動作しているＷｉ−Ｆｉデバイスからの干渉を受けることがある。便宜上、無認可ＲＦ帯域上のＬＴＥは、本明細書では、無認可スペクトルにおけるＬＴＥ／ＬＴＥアドバンスト、または周囲のコンテキストにおいて単にＬＴＥと呼ばれることがある。
【００４５】
[0053]ネットワークエンティティ１０５−ｂ（および／またはネットワークエンティティ１０５−ａ）がダウンリンク送信をＵＥ１１５に送るとき、ダウンリンク周波数帯域上の割り当てられたリソースが利用される。たとえば、無認可ＲＦ帯域において動作するネットワークエンティティ１０５−ｂは、ダウンリンクデータ送信が送られ得る、リソースブロック（ＲＢ）のインターレースを割り当てられ得る。競合ベースのダウンリンクチャネル中で他のネットワークエンティティとの衝突を回避するために、ネットワークエンティティ１０５−ｂは、プリアンブルを送り得る。便宜上、無認可ＲＦ帯域上のＬＴＥは、本明細書では、無認可スペクトルにおけるＬＴＥ／ＬＴＥアドバンスト、または周囲のコンテキストにおいて単にＬＴＥと呼ばれることがある。その上、無認可スペクトル上で動作するＬＴＥが、共有媒体を使用する競合ベースの通信システム中で動作するために、ＬＴＥの使用または変更を参照し得る。
【００４６】
[0054]いくつかのシステムでは、無認可スペクトルにおけるＬＴＥは、すべてのキャリアがワイヤレススペクトルの無認可部分で排他的に動作する、スタンドアロン構成で採用され得る（たとえば、ＬＴＥスタンドアロン）。他のシステムでは、無認可スペクトルにおけるＬＴＥは、ワイヤレススペクトルの認可部分で動作するアンカー認可キャリア（an anchor licensed carrier）と併せて、ワイヤレススペクトルの無認可部分で動作する１つまたは複数の無認可キャリアを与えることによって、認可帯域動作を補足する様式で採用され得る（たとえば、ＬＴＥ補足ダウンリンク（ＳＤＬ：Supplemental DownLink））。いずれの場合も、１つのキャリアが、対応するＵＥのために１次セル（ＰＣｅｌｌ）として働き（たとえば、ＬＴＥ  ＳＤＬにおけるアンカー認可キャリア、またはＬＴＥスタンドアロンにおける無認可キャリアのうちの指定されたキャリア）、残りのキャリアがそれぞれの２次セル（ＳＣｅｌｌ）として働く、異なるコンポーネントキャリアを管理するために、キャリアアグリゲーションが採用され得る。このようにして、ＰＣｅｌｌは、ＦＤＤのペアのダウンリンクおよびアップリンク（認可または無認可）を与え得、各ＳＣｅｌｌは、必要に応じて、追加のダウンリンク容量を与え得る。
【００４７】
[0055]概して、ＬＴＥは、ダウンリンク上では直交周波数分割多重化（ＯＦＤＭ）を利用し、アップリンク上ではシングルキャリア周波数分割多重化（ＳＣ−ＦＤＭ）を利用する。ＯＦＤＭおよびＳＣ−ＦＤＭは、システム帯域幅を、一般にトーン、ビンなどとも呼ばれる複数（Ｋ）個の直交サブキャリアに区分する。各サブキャリアはデータで変調され得る。概して、変調シンボルは、ＯＦＤＭでは周波数領域で、ＳＣ−ＦＤＭでは時間領域で送られる。隣接するサブキャリア間の間隔は固定であり得、サブキャリアの総数（Ｋ）はシステム帯域幅に依存し得る。たとえば、Ｋは、１．２５、２．５、５、１０または２０メガヘルツ（ＭＨｚ）のシステム帯域幅に対してそれぞれ１２８、２５６、５１２、１０２４または２０４８に等しくなり得る。システム帯域幅はまた、サブバンドに区分され得る。たとえば、サブバンドは１．０８ＭＨｚをカバーし得、１．２５、２．５、５、１０または２０ＭＨｚのシステム帯域幅に対してそれぞれ１、２、４、８または１６個のサブバンドがあり得る。
【００４８】
[0056]ＬＴＥは、キャリアアグリゲーションをも使用し得る。ＵＥ（たとえば、ＬＴＥアドバンスト対応ＵＥ）は、送信および受信のために使用される最高合計１００ＭＨｚ（５つのコンポーネントキャリア）のキャリアアグリゲーションにおいて割り振られた、最高２０ＭＨｚ帯域幅のスペクトルを使用し得る。ＬＴＥアドバンスト対応ワイヤレス通信システムの場合、２つのタイプのキャリアアグリゲーション（ＣＡ）方法、すなわち、連続ＣＡおよび非連続ＣＡが提案されている。連続ＣＡは、複数の利用可能なコンポーネントキャリアが互いに隣接するときに生じる。一方、非連続ＣＡは、複数の隣接しない利用可能なコンポーネントキャリアが周波数帯域に沿って分離されたときに生じる。非連続ＣＡと連続ＣＡの両方が、ＬＴＥアドバンストＵＥの単一ユニットにサービスするために複数のコンポーネントキャリアをアグリゲートし得る。
【００４９】
[0057]システム４００などのブレンドされた無線環境では、異なるＲＡＴが、異なる時間に異なるチャネルを利用し得る。異なるＲＡＴがスペクトルを共有し、部分的に他のＲＡＴとは無関係に動作しているので、１つのチャネルへのアクセスは、別のチャネルへのアクセスを意味しないことがある。したがって、複数のチャネルを使用して送信することができるデバイスは、送信する前に、各チャネルが利用可能であるかどうかを決定する必要があり得る。帯域幅およびスループットを増大させるために、いくつかの状況では、現在利用可能な（１つまたは複数の）チャネルを使用して送信するよりも、追加のチャネルが利用可能になるのを待つことが有利であることがある。
【００５０】
[0058]いくつかの例では、干渉緩和コンポーネント１３０は、ワイヤレス通信中に無認可スペクトルにおいて動作する他のネットワークエンティティとの同期を維持するように、プリアンブル送信を調整するように構成され得る。一態様では、たとえば、干渉緩和コンポーネント１３０は、ネットワークエンティティ１０５−ｂが、ｅＭＢＭＳ−Ｕにおいて１つまたは複数の他のネットワークエンティティ（たとえば、ネットワークエンティティ１０５−ａ）とともに構成され、ＵＥ１１５に送信しているとき、ネットワークエンティティ１０５−ｂのダウンリンク送信を調整するように構成され得る。たとえば、干渉緩和コンポーネント１３０は、ネットワークエンティティ１０５−ｂとネットワークエンティティ１０５−ａとが無認可通信チャネル１２５−ａおよび１２５−ｂにわたってＭＢＳＦＮサブフレーム内で同じコンテンツをＵＥ１１５に送信していることを保証することによって、ＵＥ１１５へのジョイント送信に関与するネットワークエンティティ１０５−ｂとネットワークエンティティ１０５−ａとの間の同期を維持し得る。干渉緩和コンポーネント１３０は、ネットワークエンティティ１０５−ｂが遅く（たとえば、再同期境界の後に）クリアチャネルアセスメント（ＣＣＡ）を完了する場合でも、同期を維持し得る。
【００５１】
[0059]一態様では、干渉緩和コンポーネント１３０は、データの第１のバーストを送信する第１のノードによって現在アクセスされている無認可スペクトルにアクセスするように構成され得るアクセスコンポーネント１３１を含み得る。たとえば、ネットワークエンティティ１０５−ａおよびネットワークエンティティ１０５−ｂは、ＵＥ１１５へのジョイント送信のために構成されたｅＭＢＭＳノードであり得る。ネットワークエンティティ１０５−ａは、再同期境界時にＣＣＡを完了していることがあり、通信チャネル１２５−ａを介して無認可スペクトル（たとえば、無認可スペクトル）にアクセスした。ネットワークエンティティ１０５−ａは、無認可スペクトル上でデータの第１のバーストをＵＥ１１５に送信していることがある。その上、アクセスコンポーネント１３１は、データの第１のバーストをＵＥ１１５に送信しているネットワークエンティティ１０５−ａによって現在アクセスされている無認可スペクトルにアクセスし得る。いくつかの事例では、ネットワークエンティティ１０５−ｂおよび／またはアクセスコンポーネント１３１は、１つまたは複数のｅＭＢＭＳノード（たとえば、ネットワークエンティティ１０５−ａおよび１０５−ｂ）に関連する再同期境界の前に、再同期境界において、または再同期境界の後に、通信チャネル１２５−ｂを介して無認可スペクトルにアクセスし得る。ネットワークエンティティ１０５−ｂおよび／またはアクセスコンポーネント１３１が再同期境界までに無認可スペクトルにアクセスする事例では、次いで、ネットワークエンティティ１０５−ｂは、他のｅＭＢＭＳノード（たとえば、ネットワークエンティティ１０５−ａ）と同期されるべきである。しかしながら、ネットワークエンティティ１０５−ｂおよび／またはアクセスコンポーネント１３１が再同期境界の後に無認可スペクトルにアクセスする場合、ネットワークエンティティ１０５−ｂおよび／または干渉緩和コンポーネント１３０は、ネットワークエンティティ１０５−ａによるデータの第１のバーストのジョイント送信部分との干渉を回避するために、送信およびプリアンブルを構成する必要があり得る。
【００５２】
[0060]一態様では、干渉緩和コンポーネント１３０は、アクセス媒体を介してデータの第２のバースト１３３を送信するようにトランシーバ６０を構成し得る。たとえば、トランシーバ６０は、アクセス媒体を介してデータの第２のバースト１３３を送信し得、ここにおいて、データの第２のバースト１３３は、ネットワークエンティティ１０５−ａによるデータの第１のバーストのジョイント送信部分に干渉しないように構成された関連するプリアンブル１３４を有する。ネットワークエンティティ１０５−ｂおよび／またはトランシーバ６０は、１つまたは複数のダウンリンクユニキャストサブフレームと１つまたは複数のＭＢＳＦＮサブフレームとを送信することを含む、データの第２のバースト１３３を送信するように構成され得る。ＭＢＳＦＮサブフレームは、それらが常にサブフレームアラインされるように構成され得、したがって、ネットワークエンティティ１０５−ｂおよび／またはトランシーバ６０は、サブフレーム境界においてＭＢＳＦＮデータ送信のみを始め得る。
【００５３】
[0061]さらに、干渉緩和コンポーネント１３０は、プリアンブル１３４とプリアンブル１３４の送信とを構成し得る、構成コンポーネント１３２を含み得る。たとえば、構成コンポーネント１３２は、データの第１のバーストのジョイント送信部分がネットワークエンティティ１０５−ａによって送信される前に、ネットワークエンティティ１０５−ｂによって送信されるように、データの第２のバースト１３３に関連するプリアンブル１３４を構成し得る（たとえば、図６参照）。別の例では、構成コンポーネント１３２は、データの第１のバーストのジョイント送信部分がネットワークエンティティ１０５−ａによって送信された後に、ネットワークエンティティ１０５−ｂによって送信されるように、データの第２のバースト１３３に関連するプリアンブル１３４を構成し得る（たとえば、図８および図９参照）。別の例では、構成コンポーネント１３２は、データの第１のバーストのジョイント送信部分がネットワークエンティティ１０５−ａによって送信される間に、ネットワークエンティティ１０５−ｂによって送信されるように、データの第２のバースト１３３に関連するプリアンブル１３４を構成し得る（たとえば、図１０参照）。他の態様では、データの第２のバースト１３３に関連するプリアンブル１３４は第１のプリアンブルであり、ネットワークエンティティ１０５−ａは、データの第１のバーストをＵＥ１１５に送信するより前に、第２のプリアンブルを送信する（たとえば、図１１参照）。この態様では、第１のプリアンブルはユニキャストプリアンブルであり、第２のプリアンブルはＭＢＳＦＮプリアンブルである。ネットワークエンティティ１０５−ａは、データの第１のバーストを送信した後に、第３のプリアンブルをも送信し得る。第３のプリアンブルもユニキャストプリアンブルであり得る（たとえば、図１１〜図１３参照）。
【００５４】
[0062]さらに、限定はしないが、ワイヤレス通信システム４００のネットワークエンティティ１０５−ａおよび１０５−ｂを含む、本明細書で使用される１つまたは複数のワイヤレスノードは、基地局またはノードＢ、リレー、ピアツーピアデバイス、認証、許可（authorization）およびアカウンティング（ＡＡＡ）サーバ、モバイルスイッチングセンター（ＭＳＣ）、無線ネットワークコントローラ（ＲＮＣ）などを含む、アクセスポイントなど、任意のタイプのネットワークコンポーネントのうちの１つまたは複数を含み得る。さらなる態様では、ワイヤレス通信システム４００の１つまたは複数のワイヤレスサービングノードは、限定はしないが、マクロ基地局と比較して比較的小さい送信電力または比較的小さいカバレージエリアを有するフェムトセル、ピコセル、マイクロセル、または他の基地局など、１つまたは複数のスモールセル基地局を含み得る。
【００５５】
[0063]図５は、無認可スペクトルにおけるジョイント送信（たとえば、ＭＢＳＦＮ送信）に関与する２つまたはそれ以上のノード（たとえば、ｅＭＢＭＳノード）のうちの２つのノードによる例示的なダウンリンク送信を示す図５００である。一態様では、図５００は、（図４のプリアンブル１３４など）プリアンブルがノード１（たとえば、図４のネットワークエンティティ１０５−ａ）とノード２（たとえば、図４のネットワークエンティティ１０５−ｂ）とによって送信されるシナリオを示し、ここで、ノード１とノード２の両方は、無認可スペクトルにおいて動作するｅＭＢＭＳノードである（ｅＭＢＭＳ−Ｕ）。たとえば、ノード１とノード２は両方ともＣＣＡを同時に（たとえば、再同期境界までに）完了し（図示せず）、したがって、プリアンブルとダウンリンクユニキャストデータとＭＢＳＦＮデータとを含むデータの第１のバーストをＵＥ（たとえば、図４のＵＥ１１５）に送信し始める。ノード１とノード２の両方がＣＣＡを完了し、同じにおいて媒体にアクセスするので、ノード１およびノード２は、プリアンブル、ユニキャストデータ送信とともに、他のタイプのデータからの干渉なしにＭＢＳＦＮデータを送信し、同様にアップリンク送信を受信し得る。一態様では、ＭＢＳＦＮデータはＭＢＳＦＮサブフレームに対応し得る。
【００５６】
[0064]図６は、ジョイント送信に関与する２つまたはそれ以上のノードのうちの２つのノードによる例示的なダウンリンク送信を示す図６００である。一態様では、図６００は、（図４のプリアンブル１３４など）プリアンブルがノード１（たとえば、図４のネットワークエンティティ１０５−ａ）とノード２（たとえば、図４のネットワークエンティティ１０５−ｂ）とによって送信されるシナリオを示し、ここで、ノード１とノード２の両方は、無認可スペクトルにおいて動作するｅＭＢＭＳノードである（ｅＭＢＭＳ−Ｕ）。たとえば、ノード１とノード２は両方ともＣＣＡを完了するが、ノード１は、時間通りに（たとえば、再同期境界までに）ＣＣＡを完了し、ノード２は、再同期境界の後にＣＣＡを完了する。したがって、ノード１は、ノード２より前に、データの第１のバーストをＵＥ（たとえば、図４のＵＥ１１５）に送信し始める。再同期境界の後に、ただしノード１がＭＢＳＦＮデータを送信する前にＣＣＡを完了することにより、ノード２は、ダウンリンクユニキャストデータを送信する代わりに、ノード１がＭＢＳＦＮデータを送信し始める前に、同様にプリアンブルを送信し得る。ノード２は、ネットワークエンティティからＭＢＳＦＮサブフレーム構成を取得し、ノード１がＭＢＳＦＮデータを送信することを開始し得るかどうかを決定するために、そのような情報を使用し得る。
【００５７】
[0065]一態様では、干渉緩和コンポーネント１３０（図４）は、ノード１との同期を維持するようにプリアンブル送信を構成するように、ノード２によって実行されるように構成され得る。たとえば、干渉緩和コンポーネント１３０は、データの第１のバーストを送信しているノード１によって現在アクセスされている無認可スペクトルにアクセスし得る。したがって、干渉緩和コンポーネント１３０は、無認可スペクトルを介してデータの第２のバーストを送信するようにノード２をトリガし得る。データの第２のバーストは、データの第１のバーストのジョイント送信部分に干渉しないように構成された関連するプリアンブルを有し得る。この事例では、干渉緩和コンポーネント１３０は、ノード２がＣＣＡを完了した後にＭＢＳＦＮデータ送信が開始しなかったので、ノード１がＭＢＳＦＮデータを送信する前にプリアンブルを送信するようにノード２を構成し得る。
【００５８】
[0066]図７は、無認可スペクトルにおけるジョイント送信に関与する２つまたはそれ以上のノードのうちの２つのノードによる例示的なダウンリンク送信を示す図７００である。一態様では、図７００は、（図４のプリアンブル１３４など）プリアンブルがノード１（たとえば、図４のネットワークエンティティ１０５−ａ）とノード２（たとえば、図４のネットワークエンティティ１０５−ｂ）とによって送信されない方式を示し、ここで、ノード１とノード２の両方は、無認可スペクトルにおいて動作するｅＭＢＭＳノードである（ｅＭＢＭＳ−Ｕ）。たとえば、ノード１とノード２は両方ともＣＣＡを完了するが、ノード１は、時間通りに（たとえば、再同期境界までに）ＣＣＡを完了し、ノード２は、再同期境界の後にＣＣＡ（図示）を完了する。したがって、ノード１は、ノード２より前に、データのバーストをＵＥ（たとえば、図４のＵＥ１１５）に送信し始める。再同期境界の後に、およびノード１がＭＢＳＦＮデータを送信した後にＣＣＡを完了することにより、ノード２は、ノード１によって送信されているＭＢＳＦＮデータ送信と潜在的に干渉することにより、プリアンブルを送信しないことがある。したがって、プリアンブル送信は行われないことがあるので、ユニキャスト送信および受信が影響を及ぼされることがある。しかしながら、ノード２は、依然として、ＭＢＳＦＮおよびユニキャストデータを送信し、また、アップリンクデータを受信し得る。
【００５９】
[0067]図８は、無認可スペクトルにおけるジョイント送信に関与する２つまたはそれ以上のノードのうちの２つのノードによる例示的なダウンリンク送信を示す図８００である。一態様では、図８００は、（図４のプリアンブル１３４など）プリアンブルがノード１（たとえば、図４のネットワークエンティティ１０５−ａ）とノード２（たとえば、図４のネットワークエンティティ１０５−ｂ）とによって送信される方式を示し、ここで、ノード１とノード２の両方は、無認可スペクトルにおいて動作するｅＭＢＭＳノードである（ｅＭＢＭＳ−Ｕ）。たとえば、ノード１とノード２は両方ともＣＣＡを完了するが、ノード１は、時間通りに（たとえば、再同期境界までに）ＣＣＡを完了し、ノード２は、再同期境界の後にＣＣＡを完了する。したがって、ノード１は、ノード２より前に、データのバーストをＵＥ（たとえば、図４のＵＥ１１５）に送信し始める。再同期境界の後に、およびノード１がＭＢＳＦＮデータを送信した後にＣＣＡを完了することにより、ノード２は、ノード１によって送信されているＭＢＳＦＮデータと潜在的に干渉することにより、ＭＢＳＦＮデータを送信した後までプリアンブル（たとえば、ユニキャストプリアンブル）を送信しないことがある。したがって、ノード２は、ノード１が後続のユニキャスト送信および受信のためにＭＢＳＦＮデータを送信することを完了した後に、プリアンブルを送信する。
【００６０】
[0068]図９は、無認可スペクトルにおけるジョイント送信に関与する２つまたはそれ以上のノードのうちの２つのノードによる例示的なダウンリンク送信を示す図９００である。一態様では、図９００は、プリアンブル（図４のプリアンブル１３４などがノード１（たとえば、図４のネットワークエンティティ１０５−ａ）とノード２（たとえば、図４のネットワークエンティティ１０５−ｂ）とによって送信される方式を示し、ここで、ノード１とノード２の両方は、無認可スペクトルにおいて動作するｅＭＢＭＳノードである（ｅＭＢＭＳ−Ｕ）。たとえば、ノード１とノード２は両方ともＣＣＡを完了するが、ノード１は、時間通りに（たとえば、再同期境界までに）ＣＣＡを完了し、ノード２は、再同期境界の後にＣＣＡを完了する。したがって、ノード１は、ノード２より前に、データのバーストをＵＥ（たとえば、図４のＵＥ１１５）に送信し始める。再同期境界の後に、およびノード１がＭＢＳＦＮデータを送信した後にＣＣＡを完了することにより、ノード２は、ノード１によって送信されているＭＢＳＦＮデータと潜在的に干渉することにより、ＭＢＳＦＮサブフレームの後までプリアンブルを送信しないことがある。したがって、ノード２は、ノード１がＭＢＳＦＮデータを送信することを完了した後に、ダウンリンクユニキャスト送信中にプリアンブルを組み込むことによって（たとえば、「ＤＬユニキャスト＋プリアンブル」として示されるブロック）、プリアンブルを送信する。
【００６１】
[0069]図１０は、無認可スペクトルにおけるジョイント送信に関与する２つまたはそれ以上のノードのうちの２つのノードによる例示的なダウンリンク送信を示す図１０００である。一態様では、図１０００は、（図４のプリアンブル１３４など）プリアンブルがノード１（たとえば、図４のネットワークエンティティ１０５−ａ）とノード２（たとえば、図４のネットワークエンティティ１０５−ｂ）とによって送信される方式を示し、ここで、ノード１とノード２の両方は、無認可スペクトルにおいて動作するｅＭＢＭＳノードである（ｅＭＢＭＳ−Ｕ）。たとえば、ノード１とノード２は両方ともＣＣＡを完了するが、ノード１は、時間通りに（たとえば、再同期境界までに）ＣＣＡを完了し、ノード２は、再同期境界の後にＣＣＡを完了する。したがって、ノード１は、ノード２より前に、データのバーストをＵＥ（たとえば、図４のＵＥ１１５）に送信し始める。この例では、干渉なしにプリアンブルを送信することを可能にするために、再同期境界の後にＣＣＡを完了するノードのために各ＭＢＳＦＮサブフレーム中でリソース要素が予約される。いくつかの事例では、干渉なしのプリアンブル送信のために使用されるべきリソース要素が、ＭＢＳＦＮエリア識別子またはＰＬＭＮ識別子に基づいて識別され得る。再同期境界の後に、およびノード１がＭＢＳＦＮサブフレームを送信した後にＣＣＡを完了することにより、ノード２は、ノード１によってコンカレントに（concurrently）送信されるＭＢＳＦＮサブフレームとの干渉を回避するために、ＭＢＳＦＮサブフレームの予約されたリソース要素中でプリアンブルを送信する。
【００６２】
[0070]図１１は、無認可スペクトルにおけるジョイント送信に関与する２つまたはそれ以上のノードのうちの２つのノードによる例示的なダウンリンク送信を示す図１１００である。一態様では、図１１００は、（図４のプリアンブル１３４など）２つのタイプのプリアンブルがノード１（たとえば、図４のネットワークエンティティ１０５−ａ）とノード２（たとえば、図４のネットワークエンティティ１０５−ｂ）とによって送信される方式を示し、ここで、ノード１とノード２の両方は、無認可スペクトルにおいて動作するｅＭＢＭＳノードである（ｅＭＢＭＳ−Ｕ）。たとえば、ノード１とノード２は両方ともＣＣＡを完了するが、ノード１は、時間通りに（たとえば、再同期境界までに）ＣＣＡを完了し、ノード２は、再同期境界の後にＣＣＡを完了する。したがって、ノード１は、ノード２より前に、データのバーストをＵＥ（たとえば、図４のＵＥ１１５）に送信し始める。この例では、ノード１は、ＭＢＳＦＮサブフレームを送信するより前にＭＢＳＦＮプリアンブルを送信する。ノード２は、ノード１がＭＢＳＦＮサブフレームを送信している間、ＣＣＡ（図示）を完了し得る。したがって、ノード２は、同様に１つまたは複数のＭＢＳＦＮサブフレームを送信し、次いで、ＭＢＳＦＮサブフレームの後にユニキャストプリアンブルを送信し得る。ノード２がユニキャストプリアンブルを送信する間、ノード１は、ユニキャストプリアンブルをコンカレントに送信し得る。ノード２は、再同期境界の後にＣＣＡを完了することにより、ＭＢＳＦＮプリアンブルを送信しない。
【００６３】
[0071]図１２は、無認可スペクトルにおけるジョイント送信に関与する２つまたはそれ以上のノードのうちの２つのノードによる例示的なダウンリンク送信を示す図１２００である。一態様では、図１２００は、（図４のプリアンブル１３４など）２つのタイプのプリアンブルがノード１（たとえば、図４のネットワークエンティティ１０５−ａ）とノード２（たとえば、図４のネットワークエンティティ１０５−ｂ）とによって送信される方式を示し、ここで、ノード１とノード２の両方は、無認可スペクトルにおいて動作するｅＭＢＭＳノードである（ｅＭＢＭＳ−Ｕ）。たとえば、ノード１とノード２は両方ともＣＣＡを完了するが、ノード１は、時間通りに（たとえば、再同期境界までに）ＣＣＡを完了し、ノード２は、再同期境界の後にＣＣＡを完了する。したがって、ノード１は、ノード２より前に、データのバーストをＵＥ（たとえば、図４のＵＥ１１５）に送信し始める。この例では、ノード１は、ＭＢＳＦＮサブフレームを送信するより前にＭＢＳＦＮプリアンブルを送信する。ノード２は、ノード１がＭＢＳＦＮサブフレームを送信している間、ＣＣＡを完了し得る。したがって、ノード２は、同様に１つまたは複数のＭＢＳＦＮサブフレームを送信し、次いで、ＭＢＳＦＮサブフレームの後にノード１とともにユニキャストプリアンブルを送信し得る。ノード２はまた、ＭＢＳＦＮプリアンブルを送信するための遅いノード（たとえば、再同期境界の後にＣＣＡを完了するノード）に専用の、ＭＢＳＦＮ送信のために使用されないリソース要素内で、ＭＢＳＦＮプリアンブルを送信する。したがって、遅いノード（たとえば、ノード２）によってサービスされるＵＥは、ＭＢＳＦＮ送信がいつ開始するかについてのインジケーションを有する。
【００６４】
[0072]図１３は、無認可スペクトルにおけるジョイント送信に関与する２つまたはそれ以上のノードのうちの２つのノードによる例示的なダウンリンク送信を示す図１３００である。一態様では、図１３００は、（図４のプリアンブル１３４など）２つのタイプのプリアンブルがノード１（たとえば、図４のネットワークエンティティ１０５−ａ）とノード２（たとえば、図４のネットワークエンティティ１０５−ｂ）とによって送信される方式を示し、ここで、ノード１とノード２の両方は、無認可スペクトルにおいて動作するｅＭＢＭＳノードである（ｅＭＢＭＳ−Ｕ）。たとえば、ノード１とノード２は両方ともＣＣＡを完了するが、ノード１は、時間通りに（たとえば、再同期境界までに）ＣＣＡを完了し、ノード２は、再同期境界の後にＣＣＡを完了する。したがって、ノード１は、ノード２より前に、データのバーストをＵＥ（たとえば、図４のＵＥ１１５）に送信し始める。この例では、ノード１は、ＭＢＳＦＮサブフレームを送信するより前に、組合せユニキャストおよびＭＢＳＦＮプリアンブルを送信する（ここにおいて、ユニキャストプリアンブルはＭＢＳＦＮプリアンブルと多重化される）。ノード２は、ノード１がＭＢＳＦＮサブフレームを送信している間、ＣＣＡを完了し得る。したがって、ノード２は、同様に１つまたは複数のＭＢＳＦＮサブフレームを送信し、次いで、ＭＢＳＦＮサブフレームの後にユニキャストプリアンブルを送信し得る。ノード２は、再同期境界の後にＣＣＡを完了することにより、ＭＢＳＦＮプリアンブルを送信しない。
【００６５】
[0073]図１４は、無認可スペクトルにおけるジョイント送信に関与する２つまたはそれ以上のノードのうちの２つのノードによる例示的なダウンリンク送信を示す図１４００である。一態様では、図１４００は、（図４のプリアンブル１３４など）２つのタイプのプリアンブルがノード１（たとえば、図４のネットワークエンティティ１０５−ａ）とノード２（たとえば、図４のネットワークエンティティ１０５−ｂ）とによって送信される方式を示し、ここで、ノード１とノード２の両方は、無認可スペクトルにおいて動作するｅＭＢＭＳノードである（ｅＭＢＭＳ−Ｕ）。たとえば、ノード１とノード２は両方ともＣＣＡを完了するが、ノード１は、時間通りに（たとえば、再同期境界までに）ＣＣＡを完了し、ノード２は、再同期境界の後にＣＣＡを完了する。したがって、ノード１は、ノード２より前に、データのバーストをＵＥ（たとえば、図４のＵＥ１１５）に送信し始める。この例では、ノード１は、ＭＢＳＦＮサブフレームを送信するより前に、組合せユニキャストおよびＭＢＳＦＮプリアンブルを送信する（ここにおいて、ユニキャストプリアンブルはＭＢＳＦＮプリアンブルと多重化される）。ノード２は、ノード１がＭＢＳＦＮサブフレームを送信している間、ＣＣＡを完了し得る。したがって、ノード２はまた、組合せユニキャストおよびＭＢＳＦＮプリアンブルを送信するための遅いノードに専用の、およびＭＢＳＦＮ送信のために使用されないリソース要素内で、組合せユニキャストおよびＭＢＳＦＮプリアンブルを送信する。したがって、遅いノード（たとえば、ノード２）によってサービスされるＵＥは、ユニキャストおよびＭＢＳＦＮ送信がいつ開始するかについてのインジケーションを有する。
【００６６】
[0074]図１５は、無認可スペクトルにおけるジョイント送信に関与する２つまたはそれ以上のノードのうちの２つのノードによる例示的なダウンリンク送信を示す図１５００である。一態様では、図１５００は、（図４のプリアンブル１３４など）２つのタイプのプリアンブルがノード１（たとえば、図４のネットワークエンティティ１０５−ａ）とノード２（たとえば、図４のネットワークエンティティ１０５−ｂ）とによって送信される方式を示し、ここで、ノード１とノード２の両方は、無認可スペクトルにおいて動作するｅＭＢＭＳノードである（ｅＭＢＭＳ−Ｕ）。たとえば、ノード１とノード２は両方とも第１のＣＣＡを完了するが、ノード１は、時間通りに（たとえば、再同期境界までに）第１のＣＣＡを完了し、ノード２は、再同期境界の後に第１のＣＣＡを完了する。したがって、ノード１は、ノード２より前に、データのバーストをＵＥ（たとえば、図４のＵＥ１１５）に送信し始める。この例では、ノード１は、ＭＢＳＦＮサブフレームを送信するより前にＭＢＳＦＮプリアンブルを送信する。ノード２は、ノード１がＭＢＳＦＮサブフレームを送信している間、第１のＣＣＡを完了し得る。したがって、ノード２はまた、ＭＢＳＦＮデータ送信より前にＭＢＳＦＮプリアンブルを送信することなしに残りのＭＢＳＦＮサブフレームを送信する。ＭＢＳＦＮサブフレームの送信が完了された後、すべてのノードは、第２のＣＣＡを実行し、ＣＣＡの完了時に（たとえば、クリアまたは正常にパスした時に）、ユニキャストプリアンブルを送信する。この例では、ＭＢＳＦＮサブフレームを送信することについてのＣＣＡパラメータは、ユニキャストサブフレームについてのそれと比較して、異なり得る。たとえば、ＣＣＡエネルギー検出要件が、ユニキャスト送信についてよりもＭＢＳＦＮ送信についての方がより高くなり得る。
【００６７】
[0075]図１６は、無認可スペクトルにおけるジョイント送信に関与する２つまたはそれ以上のノードのうちの２つのノードによる例示的なダウンリンク送信を示す図１６００である。一態様では、図１６００は、（図４のプリアンブル１３４など）２つのタイプのプリアンブルがノード１（たとえば、図４のネットワークエンティティ１０５−ａ）とノード２（たとえば、図４のネットワークエンティティ１０５−ｂ）とによって送信される方式を示し、ここで、ノード１とノード２の両方は、無認可スペクトルにおいて動作するｅＭＢＭＳノードである（ｅＭＢＭＳ−Ｕ）。たとえば、ノード１とノード２は両方とも第１のＣＣＡを完了するが、ノード１は、時間通りに（たとえば、再同期境界までに）第１のＣＣＡを完了し、ノード２は、再同期境界の後に第１のＣＣＡを完了する。したがって、ノード１は、ノード２より前に、データのバーストをＵＥ（たとえば、図４のＵＥ１１５）に送信し始める。この例では、ノード１は、ＭＢＳＦＮサブフレームを送信するより前にＭＢＳＦＮプリアンブルを送信する。ノード２は、ノード１がＭＢＳＦＮサブフレームを送信している間、第１のＣＣＡを完了し得る。したがって、ノード２はまた、ＭＢＳＦＮプリアンブルを送信するための遅いノートに専用の、ＭＢＳＦＮ送信のために使用されないリソース要素内で、ＭＢＳＦＮプリアンブルとともに残りのＭＢＳＦＮサブフレームを送信する。ＭＢＳＦＮサブフレームの送信が完了された後、すべてのノードは、第２のＣＣＡを実行し、ＣＣＡの完了時にユニキャストプリアンブルを送信する。この例では、ＭＢＳＦＮサブフレームを送信することについてのＣＣＡパラメータは、ユニキャストサブフレームについてのそれと比較して、異なり得る。たとえば、ＣＣＡエネルギー検出要件が、ユニキャスト送信についてよりもＭＢＳＦＮ送信についての方がより高くなり得る。
【００６８】
[0076]図１７は、無認可スペクトルにおけるジョイント送信に関与する２つまたはそれ以上のノードのうちの２つのノードによる例示的なダウンリンク送信を示す図１７００である。一態様では、図１７００は、１つまたは複数のノード（たとえば、図４のネットワークエンティティ１０５−ａおよび１０５−ｂ）による部分サブフレーム送信のための方式を示し、ここにおいて、ノード１とノード２の両方はｅＭＢＭＳ−Ｕノードである。たとえば、ＭＢＳＦＮ送信を用いた部分サブフレーム送信は、異なるシンボルに対して異なるＭＢＳＦＮ利得を与え、これは、トラフィック対パイロット比（ＴＰＲ）不整合（mismatch）を生じ得る。したがって、ＭＢＳＦＮは、サブフレームアラインされる必要がある。この例では、ノード２がシンボル０、１、２を送信することに失敗するので、（ノード１によって送信される）シンボル０、１、２は、他のデータおよびＲＳシンボルと比較して異なるＳＦＮ利得を有し得、これは、ＴＰＲ不整合および性能劣化を生じ得る。代替的に、部分ＭＢＳＦＮサブフレーム送信とのＴＰＲ不整合は、性能劣化を生じないことがあり、ここで、データはＱＰＳＫを用いて変調され、シングルレイヤ送信がある。この場合、ネットワークは、部分ＭＢＳＦＮサブフレームを送ることを選定し得る。
【００６９】
[0077]図１８を参照すると、本装置および本方法による、干渉緩和コンポーネント１３０（図４）の一態様の、１つまたは複数の動作の一例ならびに／またはアーキテクチャレイアウトおよびコンポーネントおよびサブコンポーネント（図４）の一例が、１つまたは複数の方法と、これらの方法のアクションを実行し得る１つまたは複数のコンポーネントとに関して説明される。以下で説明される動作は、特定の順序でおよび／または例示的なコンポーネントによって実行されるものとして提示されるが、アクションの順序およびアクションを実行するコンポーネントは、実装形態に応じて変更され得ることを理解されたい。また、干渉緩和コンポーネント１３０はいくつかのサブコンポーネントを有するものとして示されるが、図示されるサブコンポーネントのうちの１つまたは複数は、干渉緩和コンポーネント１３０および／または互いとは別個であるが、それらと通信していることがあることを理解されたい。その上、干渉緩和コンポーネント１３０および／またはそれのサブコンポーネントに関して説明される以下のアクションまたはコンポーネントは、特別にプログラムされたプロセッサ、特別にプログラムされたソフトウェアまたはコンピュータ可読媒体を実行するプロセッサによって、あるいは説明されるアクションまたはコンポーネントを実施するために特別に構成されたハードウェアコンポーネントおよび／またはソフトウェアコンポーネントの任意の他の組合せによって実施され得ることを理解されたい。
【００７０】
[0078]一態様では、ブロック１８１０において、方法１８００は、第２のノードによって、データの第１のバーストを送信する第１のノードによって現在アクセスされている無認可スペクトルにアクセスすることを含む。一態様では、たとえば、ＵＥ１１５は、データの第１のバーストを送信する第１のノード（たとえば、ネットワークエンティティ１０５−ａ）によって現在アクセスされている無認可スペクトル（たとえば、通信チャネル１２５−ｂを介して無認可スペクトル）にアクセスするために、干渉緩和コンポーネント１３０（図４）および／またはアクセスコンポーネント１３１を実行し得る。さらなる態様では、処理システム２０１４（図２０）、プロセッサ２００４、および／またはメモリ２００６は、データの第１のバーストを送信する第１のノード（たとえば、ネットワークエンティティ１０５−ａ）によって現在アクセスされている無認可スペクトル（たとえば、通信チャネル１２５−ｂを介して無認可スペクトル）にアクセスするために、干渉緩和コンポーネント１９２０を実行し得るか、または干渉緩和コンポーネント１９２０の機能のうちの少なくともいくつかを実施し得る。
【００７１】
[0079]一態様では、ブロック１８２０において、方法１８００は、第２のノードによって、アクセスされた媒体を介してデータの第２のバーストを送信することを含み、データの第２のバーストは、データの第１のバーストのジョイント送信部分に干渉しないように構成された関連するプリアンブルを有する。一態様では、たとえば、ＵＥ１１５は、アクセスされた媒体を介してデータの第２のバースト１３３を送信するために、干渉緩和コンポーネント１３０（図４）および／またはトランシーバ６０を実行し得、データの第２のバーストは、データの第１のバーストのジョイント送信部分に干渉しないように構成された関連するプリアンブル１３４を有する。さらなる態様では、処理システム２０１４（図２０）、プロセッサ２００４、および／またはメモリ２００６は、アクセスされた媒体を介してデータの第２のバースト１３３を送信するために、干渉緩和コンポーネント１９２０および／または送信コンポーネント１９１２を実行し得るか、あるいは干渉緩和コンポーネント１９２０および／または送信コンポーネント１９１２の機能の少なくともいくつかを実施し得、データの第２のバーストは、データの第１のバーストのジョイント送信部分に干渉しないように構成された関連するプリアンブル１３４を有する。
【００７２】
[0080]図１９は、干渉緩和コンポーネント１３０と同じまたは同様であり得る干渉緩和コンポーネント１９２０を含む、例示的な装置１９０２中の異なる手段／コンポーネント間のデータフローを示す概念データフロー図１９００である。装置１９０２は、図１および図４の基地局１０５を含み得る基地局であり得る。装置１９０２は、一態様では、第２のノードによって、データの第１のバーストを送信する第１のノードによって現在アクセスされている競合ベース媒体にアクセスする、干渉緩和コンポーネント１９２０を含む。装置１９０２は、第２のノードによって、アクセスされた媒体を介してデータの第２のバーストを送信する送信コンポーネント１９１２をさらに含み、データの第２のバーストは、データの第１のバーストのジョイント送信部分に干渉しないように構成された関連するプリアンブルを有する。さらに、装置１９０２は、１つまたは複数のＵＥのうちの少なくとも１つから１つまたは複数の信号を受信する受信コンポーネント１９０４を含む。
【００７３】
[0081]本装置は、図１９の上述のフローチャート中のアルゴリズムのブロックの各々を実行する追加のコンポーネントを含み得る。したがって、図１９の上述のフローチャート中の各ブロックは、１つのコンポーネントによって実行され得、本装置は、それらのコンポーネントのうちの１つまたは複数を含み得る。それらのコンポーネントは、述べられたプロセス／アルゴリズムを行うように特に構成された１つまたは複数のハードウェアコンポーネントであるか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【００７４】
[0082]図２０は、干渉緩和コンポーネント１３０（図４）と同じまたは同様であり得る干渉緩和コンポーネント１９２０（図１９）を含む、処理システム２０１４を採用する装置１９０２’のためのハードウェア実装形態の一例を示す図２０００である。処理システム２０１４は、バス２０２４によって概略的に表されるバスアーキテクチャを用いて実装され得る。バス２０２４は、処理システム２０１４の特定の適用例および全体的な設計制約に応じて、任意の数の相互接続バスおよびブリッジを含み得る。バス２０２４は、（１つまたは複数の）プロセッサ３７５（図３）および／または２１（図４）と同じまたは同様であり得るプロセッサ２００４によって表される１つまたは複数のプロセッサおよび／またはハードウェアコンポーネントと、コンポーネント１９０４、１９１２、および１９２０と、メモリ３７６（図３）および／または４５（図４）と同じまたは同様であり得るコンピュータ可読媒体／メモリ２００６とを含む様々な回路を互いにリンクする。バス２０２４はまた、タイミングソース、周辺機器、電圧調整器、および電力管理回路など、様々な他の回路をリンクし得るが、これらは当技術分野においてよく知られており、したがって、これ以上説明されない。
【００７５】
[0083]処理システム２０１４はトランシーバ２０１０に結合され得る。トランシーバ２０１０は１つまたは複数のアンテナ２０２０に結合される。トランシーバ２０１０は、伝送媒体を介して様々な他の装置と通信するための手段を与える。トランシーバ２０１０は、１つまたは複数のアンテナ２０２０から信号を受信し、受信された信号から情報を抽出し、抽出された情報を処理システム２０１４、特に受信コンポーネント１９０４に与える。さらに、トランシーバ２０１０は、処理システム２０１４、特に送信コンポーネント１９１２から情報を受信し、受信された情報に基づいて、１つまたは複数のアンテナ２０２０に適用されるべき信号を生成する。処理システム２０１４は、コンピュータ可読媒体／メモリ２００６に結合されたプロセッサ２００４を含む。プロセッサ２００４は、コンピュータ可読媒体／メモリ２００６に記憶されたソフトウェアの実行を含む一般的な処理を担当する。ソフトウェアは、プロセッサ２００４によって実行されたとき、処理システム２０１４に、特定の装置のための上記で説明された様々な機能を実施させる。コンピュータ可読媒体／メモリ２００６はまた、ソフトウェアを実行するときにプロセッサ２００４によって操作されるデータを記憶するために使用され得る。処理システム２０１４は、コンポーネント１９０４、１９１２、および１９２０のうちの少なくとも１つをさらに含む。それらのコンポーネントは、プロセッサ２００４中で動作し、コンピュータ可読媒体／メモリ２００６中に存在する／記憶されたソフトウェアコンポーネントであるか、プロセッサ２００４に結合された１つまたは複数のハードウェアコンポーネントであるか、またはそれらの何らかの組合せであり得る。
【００７６】
[0084]一構成では、ワイヤレス通信のための装置２０００／１９０２’は、第２のノードによって、データの第１のバーストを送信する第１のノードによって現在アクセスされている競合ベースの媒体にアクセスするための手段を含む。本装置は、第２のノードによって、アクセスされた媒体を介してデータの第２のバーストを送信するための手段を含み、データの第２のバーストは、データの第１のバーストのジョイント送信部分に干渉しないように構成された関連するプリアンブルを有する。
【００７７】
[0085]上述の手段は、上述の手段によって記載された機能を実行するように構成された、装置１９０２’、および／または装置８０２’の処理システム２０１４の上述のコンポーネントのうちの１つまたは複数であり得る。上記で説明されたように、処理システム２０１４は、ＴＸプロセッサ３１６と、ＲＸプロセッサ３７０と、コントローラ／プロセッサ３７５とを含み得る。したがって、一構成では、上述の手段は、上述の手段によって記載された機能を実行するように構成された、ＴＸプロセッサ３１６と、ＲＸプロセッサ３７０と、コントローラ／プロセッサ３７５とであり得る。
【００７８】
[0086]いくつかの態様では、装置または装置の任意のコンポーネントは、本明細書で教示される機能を与えるように構成され得る（またはそのように動作可能であるかまたは適応され得る）。これは、たとえば、その機能を与えるように装置またはコンポーネントを製造する（たとえば、作製する）ことによって、その機能を与えるように装置またはコンポーネントをプログラムすることによって、または何らかの他の好適な実装技法の使用によって、達成され得る。一例として、集積回路は、必須の機能を与えるために作製され得る。別の例として、集積回路は、必須の機能をサポートするために作製され、次いで、必須の機能を与えるように（たとえば、プログラミングによって）構成され得る。また別の例として、プロセッサ回路は、必須の機能を与えるためのコードを実行し得る。
【００７９】
[0087]本明細書における「第１」、「第２」などの名称を使用した要素への任意の言及は、それらの要素の数量または順序を概括的に限定するものでないことを理解されたい。むしろ、これらの名称は、本明細書において２つまたはそれ以上の要素またはある要素の複数のインスタンスを区別する便利な方法として使用され得る。したがって、第１の要素および第２の要素への言及は、そこで２つの要素のみが採用され得ること、または第１の要素が何らかの方法で第２の要素に先行しなければならないことを意味するものではない。また、別段に記載されていない限り、要素のセットは１つまたは複数の要素を備え得る。さらに、明細書または特許請求の範囲において使用される「Ａ、Ｂ、またはＣのうちの少なくとも１つ」または「Ａ、Ｂ、またはＣのうちの１つまたは複数」または「Ａ、Ｂ、およびＣからなるグループのうちの少なくとも１つ」という形式の用語は、「ＡまたはＢまたはＣあるいはこれらの要素の任意の組合せ」を意味する。たとえば、この用語は、Ａ、またはＢ、またはＣ、またはＡおよびＢ、またはＡおよびＣ、またはＡおよびＢおよびＣ、または２Ａ、または２Ｂ、または２Ｃなどを含み得る。
【００８０】
[0088]情報および信号は、多種多様な技術および技法のいずれかを使用して表され得ることを、当業者は諒解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【００８１】
[0089]さらに、本明細書で開示される態様に関して説明される様々な例示的な論理ブロック、モジュール、回路、およびアルゴリズムステップは、電子ハードウェア、コンピュータソフトウェア、または両方の組合せとして実装され得ることを、当業者は諒解されよう。ハードウェアとソフトウェアのこの互換性を明確に示すために、様々な例示的なコンポーネント、ブロック、モジュール、回路、およびステップが、概してそれらの機能に関して上記で説明された。そのような機能をハードウェアとして実装するか、ソフトウェアとして実装するかは、特定の適用例および全体的なシステムに課される設計制約に依存する。当業者は、説明された機能を特定の適用例ごとに様々な方法で実装し得るが、そのような実装の決定は、本開示の範囲からの逸脱を生じるものと解釈されるべきではない。
【００８２】
[0090]本明細書で開示される態様に関して説明された方法、シーケンスおよび／またはアルゴリズムは、直接ハードウェアで具現化されるか、プロセッサによって実行されるソフトウェアモジュールで具現化されるか、またはその２つの組合せで具現化され得る。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、または当技術分野で知られている任意の他の形態の記憶媒体中に常駐し得る。例示的な記憶媒体は、プロセッサが記憶媒体から情報を読み取り、記憶媒体に情報を書き込むことができるように、プロセッサに結合される。代替として、記憶媒体はプロセッサに一体化され得る。
【００８３】
[0091]したがって、本開示の態様は、無認可スペクトルにおける送信に対する動的な帯域幅管理のための方法を具現化するコンピュータ可読媒体を含むことができる。したがって、本開示は図示の例に限定されない。
【００８４】
[0092]上記の開示は、例示的な態様を示すが、様々な変更および修正が、添付の特許請求の範囲によって定義される本開示の範囲から逸脱することなく本明細書において作成可能であることに留意されたい。本明細書で説明された本開示の態様による方法クレームの機能、ステップおよび／またはアクションは、特定の順序で実行されなくてもよい。さらに、いくつかの態様は、単数形で説明または特許請求されていることがあるが、単数形に限定することが明示的に述べられていない限り、複数形が企図される。
以下に、本願出願の当初の特許請求の範囲に記載された発明を付記する。
［Ｃ１］
ワイヤレス通信のための方法であって、
第２のノードによって、データの第１のバーストを送信する第１のノードによって現在アクセスされている競合ベースの媒体にアクセスすることと、
前記第２のノードによって、前記アクセスされた媒体を介してデータの第２のバーストを送信することと、データの前記第２のバーストが、データの前記第１のバーストのジョイント送信部分に干渉しないように構成された関連するプリアンブルを有する、
を備える、方法。
［Ｃ２］
前記第１のノードおよび前記第２のノードが拡張マルチメディアブロードキャストマルチキャストサービス（ｅＭＢＭＳ）ノードであり、
データの前記第１のバーストの前記ジョイント送信部分が、１つまたは複数のマルチキャストブロードキャスト単一周波数ネットワーク（ＭＢＳＦＮ）データの送信を含む、
Ｃ１に記載の方法。
［Ｃ３］
データの前記第２のバーストを送信することが、１つまたは複数のダウンリンクユニキャストサブフレームと１つまたは複数のＭＢＳＦＮデータとを送信することを備える、Ｃ１に記載の方法。
［Ｃ４］
データの前記第１のバーストの前記ジョイント送信部分が前記第１のノードによって送信される前に、前記第２のノードによって送信されるようにデータの前記第２のバーストに関連する前記プリアンブルを構成することをさらに備える、Ｃ１に記載の方法。
［Ｃ５］
データの前記第１のバーストの前記ジョイント送信部分が前記第１のノードによって送信された後に、前記第２のノードによって送信されるようにデータの前記第２のバーストに関連する前記プリアンブルを構成することをさらに備える、Ｃ１に記載の方法。
［Ｃ６］
データの前記第１のバーストの前記ジョイント送信部分によって使用されない１つまたは複数のリソース要素を使用して、データの前記第１のバーストの前記ジョイント送信部分中に、前記第２のノードによって送信されるようにデータの前記第２のバーストに関連する前記プリアンブルを構成することをさらに備える、Ｃ１に記載の方法。
［Ｃ７］
前記第１のノードが、前記第１のノードと前記第２のノードとを含む複数のｅＭＢＭＳノードに関連する再同期境界において前記媒体にアクセスする、Ｃ１に記載の方法。
［Ｃ８］
データの前記第２のバーストに関連する前記プリアンブルが、第１のプリアンブルであり、
前記第１のノードが、データの前記第１のバーストを送信するより前に第２のプリアンブルを送信する、
Ｃ１に記載の方法。
［Ｃ９］
前記第１のプリアンブルがユニキャストプリアンブルであり、
前記第２のプリアンブルがＭＢＳＦＮプリアンブルであり、
前記第１のノードが、データの前記第１のバーストを送信した後に第３のプリアンブルを送信し、前記第３のプリアンブルがユニキャストプリアンブルである、
Ｃ８に記載の方法。
［Ｃ１０］
前記第２のノードが、データの前記第１のバーストを送信した後に第４のプリアンブルを送信し、前記第４のプリアンブルがユニキャストプリアンブルである、Ｃ９に記載の方法。
［Ｃ１１］
前記第１のプリアンブルおよび前記第２のプリアンブルがユニキャストプリアンブルである、Ｃ８に記載の方法。
［Ｃ１２］
前記第１のプリアンブルおよび前記第２のプリアンブルがＭＢＳＦＮプリアンブルおよびユニキャストプリアンブルである、Ｃ８に記載の方法。
［Ｃ１３］
前記競合ベースの媒体が無認可または共有スペクトルに関連する、Ｃ１に記載の方法。
［Ｃ１４］
ワイヤレス通信のための装置であって、
命令を記憶するように構成されたメモリと、
前記メモリと通信可能に結合された１つまたは複数のプロセッサと
を備え、ここにおいて、前記１つまたは複数のプロセッサは、
第２のノードによって、データの第１のバーストを送信する第１のノードによって現在アクセスされている競合ベースの媒体にアクセスすることと、
前記第２のノードによって、前記アクセスされた媒体を介してデータの第２のバーストを送信することと、データの前記第２のバーストが、データの前記第１のバーストのジョイント送信部分に干渉しないように構成された関連するプリアンブルを有する、
を行うために前記命令を実行するように構成された、装置。
［Ｃ１５］
前記第１のノードおよび前記第２のノードが拡張マルチメディアブロードキャストマルチキャストサービス（ｅＭＢＭＳ）ノードであり、
データの前記第１のバーストの前記ジョイント送信部分が、１つまたは複数のマルチキャストブロードキャスト単一周波数ネットワーク（ＭＢＳＦＮ）データの送信を含む、
Ｃ１４に記載の装置。
［Ｃ１６］
データの前記第２のバーストを送信することが、１つまたは複数のダウンリンクユニキャストサブフレームと１つまたは複数のＭＢＳＦＮデータとを送信することを備える、Ｃ１４に記載の装置。
［Ｃ１７］
データの前記第１のバーストの前記ジョイント送信部分が前記第１のノードによって送信される前に、前記第２のノードによって送信されるようにデータの前記第２のバーストに関連する前記プリアンブルを構成することをさらに備える、Ｃ１４に記載の装置。
［Ｃ１８］
データの前記第１のバーストの前記ジョイント送信部分が前記第１のノードによって送信された後に、前記第２のノードによって送信されるようにデータの前記第２のバーストに関連する前記プリアンブルを構成することをさらに備える、Ｃ１４に記載の装置。
［Ｃ１９］
データの前記第１のバーストの前記ジョイント送信部分によって使用されない１つまたは複数のリソース要素を使用して、データの前記第１のバーストの前記ジョイント送信部分中に、前記第２のノードによって送信されるようにデータの前記第２のバーストに関連する前記プリアンブルを構成することをさらに備える、Ｃ１４に記載の装置。
［Ｃ２０］
前記第１のノードが、前記第１のノードと前記第２のノードとを含む複数のｅＭＢＭＳノードに関連する再同期境界において前記媒体にアクセスする、Ｃ１４に記載の装置。
［Ｃ２１］
データの前記第２のバーストに関連する前記プリアンブルが、第１のプリアンブルであり、
前記第１のノードが、データの前記第１のバーストを送信するより前に第２のプリアンブルを送信する、
Ｃ１４に記載の装置。
［Ｃ２２］
前記第１のプリアンブルがユニキャストプリアンブルであり、
前記第２のプリアンブルがＭＢＳＦＮプリアンブルであり、
前記第１のノードが、データの前記第１のバーストを送信した後に第３のプリアンブルを送信し、前記第３のプリアンブルがユニキャストプリアンブルである、
Ｃ２１に記載の装置。
［Ｃ２３］
前記第２のノードが、データの前記第１のバーストを送信した後に第４のプリアンブルを送信し、前記第４のプリアンブルがユニキャストプリアンブルである、Ｃ２２に記載の装置。
［Ｃ２４］
前記第１のプリアンブルおよび前記第２のプリアンブルがユニキャストプリアンブルであり、前記第１のプリアンブルおよび前記第２のプリアンブルがＭＢＳＦＮプリアンブルおよびユニキャストプリアンブルである、Ｃ２１に記載の装置。
［Ｃ２５］
トランシーバをさらに備え、ここにおいて、前記第２のノードによって、前記アクセスされた媒体を介してデータの前記第２のバーストを、前記送信する、Ｃ２１に記載の装置。
［Ｃ２６］
前記競合ベースの媒体が無認可または共有スペクトルに関連する、Ｃ１４に記載の装置。
［Ｃ２７］
ワイヤレス通信のための装置であって、
第２のノードによって、データの第１のバーストを送信する第１のノードによって現在アクセスされている競合ベースの媒体にアクセスするための手段と、
前記第２のノードによって、前記アクセスされた媒体を介してデータの第２のバーストを送信するための手段と、データの前記第２のバーストが、データの前記第１のバーストのジョイント送信部分に干渉しないように構成された関連するプリアンブルを有する、
を備える、装置。
［Ｃ２８］
前記第１のノードおよび前記第２のノードが拡張マルチメディアブロードキャストマルチキャストサービス（ｅＭＢＭＳ）ノードであり、
データの前記第１のバーストの前記ジョイント送信部分が、１つまたは複数のマルチキャストブロードキャスト単一周波数ネットワーク（ＭＢＳＦＮ）データの送信を含む、
Ｃ２７に記載の装置。
［Ｃ２９］
ワイヤレス通信のためのコンピュータ実行可能コードを記憶するコンピュータ可読媒体であって、
第２のノードによって、データの第１のバーストを送信する第１のノードによって現在アクセスされている無認可スペクトルにアクセスするためのコードと、
前記第２のノードによって、前記アクセスされた媒体を介してデータの第２のバーストを送信するためのコードと、データの前記第２のバーストが、データの前記第１のバーストのジョイント送信部分に干渉しないように構成された関連するプリアンブルを有する、
を備える、コンピュータ可読媒体。
［Ｃ３０］
前記第１のノードおよび前記第２のノードが拡張マルチメディアブロードキャストマルチキャストサービス（ｅＭＢＭＳ）ノードであり、
データの前記第１のバーストの前記ジョイント送信部分が、１つまたは複数のマルチキャストブロードキャスト単一周波数ネットワーク（ＭＢＳＦＮ）データの送信を含む、
Ｃ２９に記載のコンピュータ可読媒体。
【図１】
0006441535.tif 000002
【図２】
0006441535.tif 000003
【図３】
0006441535.tif 000004
【図４】
0006441535.tif 000005
【図５】
0006441535.tif 000006
【図６】
0006441535.tif 000007
【図７】
0006441535.tif 000008
【図８】
0006441535.tif 000009
【図９】
0006441535.tif 000010
【図１０】
0006441535.tif 000011
【図１１】
0006441535.tif 000012
【図１２】
0006441535.tif 000013
【図１３】
0006441535.tif 000014
【図１４】
0006441535.tif 000015
【図１５】
0006441535.tif 000016
【図１６】
0006441535.tif 000017
【図１７】
0006441535.tif 000018
【図１８】
0006441535.tif 000019
【図１９】
0006441535.tif 000020
【図２０】
0006441535.tif 000021